(57)【要約】  第１のユーザに関する情報の発見を可能にするコンピュータ実装式システムであって、第１及び第２のユーザが使用するためのユーザインタフェースと、画像と、マッピングアプリケーションとを含み、ユーザインタフェースは、第１のユーザが、１人または複数人の第２のユーザが発見するため画像に対して情報をアンカリングすることを可能にし、ユーザインタフェースは、１人または複数人の第２のユーザが、マッピングアプリケーションの使用によって画像を探索して、第１のユーザに関連するアンカリング済み情報を発見することを可能にする。【選択図】図２
2018533132.tif 000002
【特許請求の範囲】
【請求項１】
第１のユーザに関する情報の発見を可能にするコンピュータ実装式システムであって、
第１及び第２のユーザが使用するためのユーザインタフェースと、
画像と、
マッピングアプリケーションとを含み、
前記ユーザインタフェースは、第１のユーザが、１人または複数人の第２のユーザが発見するため前記画像に対して情報をアンカリングすることを可能にし、
前記ユーザインタフェースは、前記１人または複数人の第２のユーザが、前記マッピングアプリケーションの使用によって前記画像を探索して、前記第１のユーザに関連するアンカリング済み情報を発見することを可能にする、コンピュータ実装式システム。
【請求項２】
前記第１のユーザは、仮想ブイの使用によって前記画像に情報をアンカリングする、請求項１に記載のコンピュータ実装式システム。
【請求項３】
前記仮想ブイは、１つまたは複数の属性に関連する、請求項１または請求項２に記載のコンピュータ実装式システム。
【請求項４】
前記属性は、関心のある日付、地理的ロケーション、事象、または場所のうちの任意の１つまたは複数から選択される、請求項１から３のいずれか１項に記載のコンピュータ実装式システム。
【請求項５】
前記画像は、グラフィカル画像、ワイヤフレーム画像、３Ｄ仮想モデル、または写真のうちの任意の１つから選択される、請求項１から４のいずれか１項に記載のコンピュータ実装式システム。
【請求項６】
前記画像は、座標系と重ね合わされる、請求項１から５のいずれか１項に記載のコンピュータ実装式システム。
【請求項７】
前記画像は、対象物の写真、ワイヤフレーム画像、３Ｄ仮想モデル、またはグラフィカル画像である、請求項１から６のいずれか１項に記載のコンピュータ実装式システム。
【請求項８】
ユーザによる関心のある人の発見を可能にするコンピュータ実装式システムであって、
ユーザインタフェースと、
座標系と、
情報の１つまたは複数のオーシャンと、
マッピングアプリケーションとを含み、
前記ユーザインタフェースは、発見可能であることを選択する第１のユーザが、前記１つまたは複数のオーシャンに対して情報をアンカリングすることを可能にし、
前記ユーザインタフェースは、１人または複数人の第２のユーザが、前記マッピングアプリケーションの使用によって前記座標系に関連する情報の１つまたは複数のオーシャンをトローリングして、前記１つまたは複数のオーシャンにアンカリングされた前記第１のユーザに関する情報を発見することを可能にする、コンピュータ実装式システム。
【請求項９】
第１のユーザは、仮想ブイの使用によって、前記１つまたは複数のオーシャンに対して前記第１のユーザの情報をアンカリングする、請求項８に記載のコンピュータ実装式システム。
【請求項１０】
各ブイは、前記トローリングプロセス中に探索基準が第２のユーザによって適用されることを可能にする１つまたは複数の属性を有する、請求項８または請求項９に記載のコンピュータ実装式システム。
【請求項１１】
前記１つまたは複数の属性は、関心のある日付、地理的ロケーション、事象、または場所のうちの任意の１つまたは複数から選択される、請求項１０に記載のコンピュータ実装式システム。
【請求項１２】
情報の前記１つまたは複数のオーシャンは、前記第１のユーザによって、選択的に前記１人または複数人の第２のユーザに可視にされるまたは前記１人または複数人の第２のユーザから隠蔽される、請求項８から１１のいずれか１項に記載のコンピュータ実装式システム。
【請求項１３】
前記マッピングアプリケーションは、情報の１つまたは複数のオーシャンを探索するため前記第２のユーザによって使用される、請求項８から１２のいずれか１項に記載のコンピュータ実装式システム。
【請求項１４】
前記ユーザは、カーソル及び電子入力デバイスの使用によって探索エリアを選択して、規定済み地理的エリアにわたって仮想ネットをドラッグすることができる、請求項８から１３のいずれか１項に記載のコンピュータ実装式システム。
【請求項１５】
各仮想ブイに関連する前記属性は、前記ブイがそこにアンカリングされたオーシャンによって決定される、請求項１０から１５のいずれか１項に記載のコンピュータ実装式システム。
【請求項１６】
ユーザによる関心のある人に関連する対象物の発見を可能にするコンピュータ実装式システムであって、
ユーザインタフェースと、
１つまたは複数の対象物に関連する画像と、
マッピングアプリケーションとを含み、
前記ユーザインタフェースは、発見可能であることを選択する第１のユーザが、前記画像に対して情報をアンカリングすることを可能にし、
前記ユーザインタフェースは、第２のユーザが、前記マッピングアプリケーションの使用によって前記画像を探索して、前記画像にアンカリングされた前記第１のユーザに関する情報を発見することを可能にする、コンピュータ実装式システム。
【請求項１７】
前記第１のユーザは、仮想ブイの使用によって、前記画像に対して情報をアンカリングする、請求項１６に記載のコンピュータ実装式システム。
【請求項１８】
前記画像は、グラフィカル画像、ワイヤフレーム画像、３Ｄ仮想モデル、または写真のうちの任意の１つから選択される、請求項１６または請求項１７に記載のコンピュータ実装式システム。
【請求項１９】
前記画像は、座標系と重ね合わされる、請求項１０から１８のいずれか１項に記載のコンピュータ実装式システム。
【請求項２０】
前記画像は、対象物の写真、ワイヤフレーム画像、３Ｄ仮想モデル、またはグラフィカル画像である、請求項１６から１９のいずれか１項に記載のコンピュータ実装式システム。
【請求項２１】
１人または複数人の第２のユーザによる第１のユーザに関する情報の発見を可能にするコンピュータ実装式システムであって、
前記第１のユーザは、ユーザインタフェースを通して、コンピュータ実装式システムであって、画像及びマッピングアプリケーションを含む、コンピュータ実装式システムにアクセスし、
前記第１のユーザは、前記画像に関連する前記マッピングアプリケーションを使用して前記画像をナビゲートし、
前記第１のユーザは、前記１人または複数人の第２のユーザによる第１のユーザに関する情報の発見を可能にする情報を前記画像にアンカリングする、コンピュータ実装式システム。
【請求項２２】
前記第１のユーザは、仮想ブイの使用によって、前記画像に対して情報をアンカリングする、請求項２０に記載のコンピュータ実装式システム。
【請求項２３】
前記仮想ブイは、１つまたは複数の属性に関連する、請求項２０または請求項２１に記載のコンピュータ実装式システム。
【請求項２４】
前記属性は、関心のある日付、地理的ロケーション、事象、または場所のうちの任意の１つまたは複数から選択される、請求項２０から２２のいずれか１項に記載のコンピュータ実装式システム。
【請求項２５】
前記画像は、グラフィカル画像、ワイヤフレーム画像、３Ｄ仮想モデル、または写真のうちの任意の１つから選択される、請求項２０から２３のいずれか１項に記載のコンピュータ実装式システム。
【請求項２６】
前記画像は、座標系と重ね合わされる、請求項２０から２４のいずれか１項に記載のコンピュータ実装式システム。
【請求項２７】
前記画像は、対象物の写真、ワイヤフレーム画像、３Ｄ仮想モデル、またはグラフィカル画像である、請求項１から６のいずれか１項に記載のコンピュータ実装式システム。
【請求項２８】
前記第１のユーザによって前記画像内にアンカリングされた前記１つまたは複数の仮想ブイは、第３者ソーシャルまたは専門家ネットワーキングウェブサイトに対するリンクを含む、請求項２０から２６のいずれか１項に記載のコンピュータ実装式システム。
【請求項２９】
１人または複数人の第２のユーザによる第１のユーザの発見を可能にするコンピュータ実装式方法であって、
前記第１のユーザは、ユーザインタフェースを通して、コンピュータ実装式システムであって、座標系、情報の１つまたは複数のオーシャン、及びマッピングアプリケーションを含む、コンピュータ実装式システムにアクセスするステップと、
前記第１のユーザは、前記座標系に関連する前記マッピングアプリケーションを使用して前記座標系をナビゲートするステップと、
前記第１のユーザは、前記座標系に関連する前記マッピングアプリケーションを使用して情報の１つまたは複数のオーシャンに対して情報をアンカリングするステップとを含み、前記情報は、前記１人または複数人の第２のユーザによる前記第１のユーザの発見を可能にする、コンピュータ実装式方法。
【請求項３０】
第１のユーザは、仮想ブイの使用によって、前記１つまたは複数のオーシャンに対して前記第１のユーザの情報をアンカリングする、請求項２９に記載のコンピュータ実装式方法。
【請求項３１】
各ブイは、トローリングプロセス中に探索基準が第２のユーザによって適用されることを可能にする１つまたは複数の属性を有する、請求項２９または請求項３０に記載のコンピュータ実装式方法。
【請求項３２】
前記１つまたは複数の属性は、関心のある日付、地理的ロケーション、事象、または場所のうちの任意の１つまたは複数から選択される、請求項３１に記載のコンピュータ実装式方法。
【請求項３３】
情報の前記１つまたは複数のオーシャンは、前記第１のユーザによって、選択的に前記１人または複数人の第２のユーザに可視にされるまたは前記１人または複数人の第２のユーザから隠蔽される、請求項２９から３２のいずれか１項に記載のコンピュータ実装式方法。
【請求項３４】
前記マッピングアプリケーションは、情報の１つまたは複数のオーシャンを探索するため前記第２のユーザによって使用される、請求項２９から３３のいずれか１項に記載のコンピュータ実装式方法。
【請求項３５】
前記ユーザは、カーソル及び電子入力デバイスの使用によって探索エリアを選択して、規定済み地理的エリアにわたって仮想ネットをドラッグすることができる、請求項２９から３４のいずれか１項に記載のコンピュータ実装式方法。
【請求項３６】
各仮想ブイに関連する前記属性は、前記ブイがそこにアンカリングされたオーシャンによって決定される、請求項３１から３５のいずれか１項に記載のコンピュータ実装式方法。
【請求項３７】
前記第１のユーザによって情報の前記１つまたは複数のオーシャンにアンカリングされた前記１つまたは複数の仮想ブイは、第３者ソーシャルまたは専門家ネットワーキングウェブサイトに対するリンクを含む、請求項２９から３６のいずれか１項に記載のコンピュータ実装式システム。
【請求項３８】
第１のユーザに関連する対象物の発見を可能にするコンピュータ実装式方法であって、
前記第１のユーザは、ユーザインタフェースを通して、コンピュータ実装式システムであって、情報の１つまたは複数の対象物に関連する画像及びマッピングアプリケーションを含む、コンピュータ実装式システムにアクセスするステップと、
前記第１のユーザは、前記マッピングアプリケーションを使用して前記画像をナビゲートするステップと、
前記第１のユーザは、前記マッピングアプリケーションを使用して、前記画像に対して、情報であって、前記１人または複数人の第２のユーザによる前記第１のユーザに関連する対象物の発見を可能にする、情報をアンカリングするステップとを含む、コンピュータ実装式方法。
【請求項３９】
前記第１のユーザは、仮想ブイの使用によって、前記画像に対して情報をアンカリングする、請求項３８に記載のコンピュータ実装式方法。
【請求項４０】
前記画像は、グラフィカル画像、ワイヤフレーム画像、３Ｄ仮想モデル、または写真のうちの任意の１つから選択される、請求項３８または請求項３９に記載のコンピュータ実装式方法。
【請求項４１】
前記画像は、座標系と重ね合わされる、請求項３８から４０のいずれか１項に記載のコンピュータ実装式方法。
【請求項４２】
前記画像は、対象物の写真、ワイヤフレーム画像、３Ｄ仮想モデル、またはグラフィカル画像である、請求項３８から４１のいずれか１項に記載のコンピュータ実装式方法。
【請求項４３】
１人または複数人の第２のユーザが第１のユーザに関する情報を発見することを可能にする方法であって、
前記１人または複数人の第２のユーザは、ユーザインタフェースを通して、コンピュータ実装式システムであって、画像及びマッピングアプリケーションを含む、コンピュータ実装式システムにアクセスすること、及び、
前記１人または複数人の第２のユーザは、前記マッピングアプリケーションを使用して情報を探索して、前記画像にアンカリングされた情報の１つまたは複数の仮想ブイを位置特定し閲覧することを含む、方法。
【請求項４４】
１人または複数人の第２のユーザが第１のユーザを発見することを可能にする方法であって、
前記１人または複数人の第２のユーザは、ユーザインタフェースを通して、コンピュータ実装式システムであって、座標系、情報の１または複数のオーシャン、及びマッピングアプリケーションを含む、コンピュータ実装式システムにアクセスするステップと、
前記１人または複数人の第２のユーザは、前記座標系に関連する前記マッピングアプリケーションを使用して情報を求めてトローリングして、前記１または複数のオーシャン内にアンカリングされた情報の１つまたは複数の仮想ブイを位置特定し閲覧するステップとを含む、方法。
【請求項４５】
１人または複数人の第２のユーザが第１のユーザに関連する１つまたは複数の対象物を発見することを可能にする方法であって、
前記１人または複数人の第２のユーザは、ユーザインタフェースを通して、コンピュータ実装式システムであって、前記１つまたは複数の対象物に関連する画像及びマッピングアプリケーションを含む、コンピュータ実装式システムにアクセスすること、及び、
前記１人または複数人の第２のユーザは、前記マッピングアプリケーションを使用して前記画像を探索して、前記画像にアンカリングされた情報の１つまたは複数の仮想ブイを位置特定し閲覧することを含む、方法。
【発明の詳細な説明】
【技術分野】
【０００１】
本発明は、限定はしないが、特定のロケーションに現在または過去に存在する人、クラブ、社会、または教育施設の過去のまた現在のメンバ、または、事象に関連する人等の関心のある人、あるいは対象物を発見するシステム及び方法に関する。
【背景技術】
【０００２】
コンピュータ、例えば、Ｆａｃｅｂｏｏｋ及びＬｉｎｋｅｄｉｎ等のソーシャルまたはプロフェッショナルネットワーキングサイトによって人々を探索し位置特定するためのアプリケーションが現在存在する。しかし、こうしたアプリケーションの効果的な使用は、特定の人を位置特定しようと試みる探索者が、現在の名前を含む比較的正確な詳細及び／または探索者が位置特定しようと努めるアドレス詳細を有することを必要とする。これは、人々が、結婚または他の状況を通して自分の名前を変える、住所を移す、または、人々が共通の名前を有する状況で、人々を位置特定するのに困難さを呈する。こうした困難さは、人を位置特定することを問題の多いものにまた更に不可能にする。同様な欠点は、関心のある人の正確でかつ現在の名前及び／またはアドレス詳細を有する探索者に頼る従来の電話またはアドレス帳に関して存在する。
【０００３】
更に、関心のある人を位置特定するための従来の方法及びアプリケーションは、インターネット等のデータ通信ネットワーク上で捕捉され利用可能な情報の量が膨大であるため、不可能でない場合、人々を探索することを同様に難しくする。Ｇｏｏｇｌｅ等のアプリケーションの使用によるテキストベース探索は、しばしば、特に関心のある人にとって重要でない多くの結果を探索者に返す。
【０００４】
関心のある人を位置特定するための従来の方法及びアプリケーションに関連する更なる不利益は、しばしば、探索者が、インターネット上で入手可能な膨大な量の情報をフィルタリングすることを要求され、そのことが、特定のテキスト探索基準を探索ツールに入力することを探索者に要求し、探索ツールが、不適切なまたは一般的な／曖昧な探索用語の入力によって、しばしば、不正確な結果をもたらすことである。したがって、所定の時刻の特定の事象に関連する関心のある人を位置特定することは、不可能でない場合、難しい。
【０００５】
現在、或る人が、過去の事象に関連する別の人、例えば、或る日付範囲の間で特定の教育施設に通う１人または複数人のメンバに関する情報を位置特定しようと努める場合、登録レコード等の施設に関する詳細を公表するまたはその他の方法で入手可能にするため、特定の教育施設に対して、通常、信頼が置かれなければならない。しばしば、この情報は、種々のグループによって公表されず、結果として、所定の時刻に関心のある特定の事象または場所に関連する人及び／または詳細を位置特定することは、難しいままであり、また時として、不可能である。
【０００６】
情報を公表しないまたは情報を入手可能にしない種々のグループに加えて、プライバシー問題が、同様に、関心のある人に関する情報にアクセスすることを益々難しくする。この点に関して、プロフェッショナルネットワーキングサイトＬｉｎｋｅｄｉｎ内で採用される独占的連絡アレンジメント、例えば、「Ｉｎ−ｍａｉｌ」が、益々使用されて、Ｌｉｎｋｅｄｉｎネットワーキングサービスによって登録された人々のプライバシーを保護する。
【０００７】
更に、ソーシャルクラブまたは教育施設などのグループが、インターネット等のデータ通信ネットワーク上で情報を公表及び／または更新しようと努める状況において、ウェブサイトを構築するときにエキスパートの技量及び知識が要求され、それは、通常、外部ウェブデザインエキスパートの補助を伴う。
【０００８】
種々のウェブサイト、例えば、ｅＢａｙ、ｅ−ｃｏｍｍｅｒｃｅウェブサイト、Ｇｕｍｔｒｅｅ、またはオンラインクラシファイド広告ウェブサイトが利用可能であり、それらのウェブサイトは、ユーザが、販売のために広告する、及び／または、関心のある種々の対象物、例えば、自動車、コンピュータ、または関心のある任意の対象物に関連する予備部品、付属品、または品目を位置特定することを可能にする。こうしたウェブサイトは、しばしば、使用するのが難しい可能性がある。その理由は、販売用の対象物が、関心のある対象物を購入しようと努める人によって使用される用語に必ずしも相関しない場合がある、販売者によって一般に選択される特定の探索用語を使用して識別されるだけである可能性があるからである。したがって、潜在的な販売及び購入の機会は、販売者及び潜在的な購入者が一貫した探索用語を使用できないことに関連する難しさによって、しばしば喪失される。
【０００９】
関心のある対象物は、同様に、Ｇｏｏｇｌｅ等の探索エンジンを使用して位置特定される場合があり、探索エンジンにおいて、関心のある対象物を購入しようと努める人は、関連する探索用語またはキーワードを入力する。関心のある対象物を位置特定するこの方法は、テキストベース探索用語の入力を要求する先に述べたｅＢａｙ及びＧｕｍｔｒｅｅ等の探索ウェブサイトに関連する同じ問題を有する。更なる困難さは、有効かつ重要な探索結果の曖昧化が有料広告に起因することによって生じる。この点に関して、有料広告の結果として、キーワード探索が、しばしば、探索結果の優位性を増すため支払がそれについて全く行われなかった結果と比較して重要でないまたは重要性が小さい結果をもたらすまたは識別することが認識されるであろう。結果として、潜在的な購入者は、多くの場合、入力された探索用語に従ってユーザに提示される優位性があるが重要でない多くの探索結果内をスクロールせずに、関心のある対象物を位置特定することが難しいとわかる。
【発明の概要】
【発明が解決しようとする課題】
【００１０】
本発明は、関心のある人または対象物を発見する従来の方法に関連する先の不利益の少なくとも幾つかに対処することを意図される。
【００１１】
本明細書におけるいずれの従来技術に対する参照も、従来技術が、特許請求の範囲の優先日における共通の一般的知識の一部を形成するという、承認または任意の示唆として提案されていない、あるいは達成されていない。
【課題を解決するための手段】
【００１２】
一態様において、本発明は、第１の複数のユーザに関する情報のためのコンピュータ実装式システムを提供し、システムは、第１の複数のユーザが使用するための第１のユーザインタフェースと、画像と、マッピングアプリケーションとを含み、第１のユーザインタフェースは、第１のユーザが、１人または複数人の第２のユーザが発見するため画像に対して情報をアンカリングすることを可能にし、第２のユーザインタフェースは、１人または複数人の第２のユーザが、マッピングアプリケーションの使用によって画像を探索して、１人または複数人の第１のユーザに関連するアンカリング済み情報を発見することを可能にする。
【００１３】
別の態様において、本発明は、関心のある人のためのコンピュータ実装式システムを提供し、システムは、第１のユーザインタフェースと、座標系と、情報の１つまたは複数のオーシャンと、マッピングアプリケーションとを含み、第１のユーザインタフェースは、発見可能であることを選択する１人または複数人の第１のユーザが、１つまたは複数のオーシャンに対して情報をアンカリングすることを可能にし、第２のユーザインタフェースは、１人または複数人の第２のユーザが、マッピングアプリケーションの使用によって座標系に関連する情報の１つまたは複数のオーシャンをトローリングして、１つまたは複数のオーシャンにアンカリングされた１人または複数人の第１のユーザに関する情報を発見することを可能にする。
【００１４】
別の態様において、本発明は、ユーザによる関心のある人に関連する対象物のためのコンピュータ実装式システムを提供し、システムは、第１のユーザインタフェースと、１つまたは複数の対象物に関連する画像と、マッピングアプリケーションとを含み、第１のユーザインタフェースは、発見可能であることを選択する第１のユーザが、画像に対して情報をアンカリングすることを可能にし、第２のユーザインタフェースは、第２のユーザが、マッピングアプリケーションの使用によって画像を探索して、画像にアンカリングされた第１のユーザに関する情報を発見することを可能にする。
【００１５】
第１及び第２のユーザが、情報をアンカリングし、その後、その情報を探索する別個のタスク用の異なるユーザインタフェースを備えてもよいが、複数の実施形態において、第１及び第２のユーザインタフェースが、第１のユーザと第２のユーザの両方によって、両方のそれぞれのタスクに関して操作可能な単一ユーザインタフェースとして実装されることを熟練した読者は認識するであろう。
【００１６】
単独でのまたはテキストベース基準と組合せての視覚画像の使用は、関心のある人々または対象物を探索する効率を実質的に改善することになり、幾つかの事例では、探索を行うときに関心のある人または対象物に関する入手可能な情報が不十分であるため普通なら位置特定できない人または対象物を、探索が成功裡に位置特定することを可能にすることになることが同様に認識されるであろう。
【００１７】
報告される探索結果に関する限定基準の基礎を形成する画像を用いて探索を行うことは、探索結果に同じ限定をもたらすことを普通なら要求されるテキスト用語の知識がない状態で、ユーザが探索を開始することを可能にする。
【００１８】
好ましくは、第１のユーザインタフェースは、第１のユーザが、画像に対する第１のユーザ情報のアンカリングに関する更なる情報を記録することを可能にする。更なる情報は、日付、地理的ロケーション、文献情報、または、第１のユーザに関する識別情報をアンカリングするため、第１のユーザによって選択される画像のロケーションに関する任意の他の情報を含んでもよい。
【００１９】
一実施形態において、第１のユーザは、仮想ブイの使用によってその情報を１つまたは複数のオーシャンにアンカリングする。
【００２０】
一実施形態において、各仮想ブイは、トローリングプロセス中にフィルタまたは探索基準が第２のユーザによって適用されるまたは入力されることを可能にする１つまたは複数の属性を有する。こうした属性は、関心のある日付、地理的ロケーション、事象、または場所を含んでもよいが、それに限定されない。したがって、第２のユーザが情報を求めてトローリングしているとき、第２のユーザは、トローリングする特定のオーシャンを選択してもよく、また、種々の属性に適用される１つまたは複数の探索基準を入力してもよい。
【００２１】
一実施形態において、情報の１つまたは複数のオーシャンは、第１のユーザによって目に見えるようにされてもよい、または、第１のユーザによって、システムにアクセスする１人または複数人の第２のユーザから隠蔽されてもよい。
【００２２】
一実施形態において、マッピングアプリケーションは、ユーザが、情報の１つまたは複数のオーシャンをトローリングすることを可能にし、ユーザは、電子入力デバイス及びカーソルを使用して、規定済み地理的エリアにわたって仮想ネットをキャストまたはドラッグし、それにより、探索結果を選択済みエリアだけに制限することができる。
【００２３】
更なる態様において、本発明は、ユーザによる関心のある人に関連する対象物のためのコンピュータ実装式探索システムを提供し、システムは、第１のユーザインタフェースと、１つまたは複数の対象物の画像と、マッピングアプリケーションとを含み、第１のユーザインタフェースは、第１のユーザの対象物が発見可能であることを選択する第１のユーザが、画像内の対象物に対して情報をアンカリングすることを可能にし、第２のユーザインタフェースは、第２のユーザが、マッピングアプリケーションの使用によって画像を探索して、画像内の１つまたは複数の対象物にアンカリングされた第１のユーザに関する情報を発見することを可能にする。
【００２４】
一実施形態において、対象物が発見されることを所望する第１のユーザは、仮想ブイの使用によって、画像内の対象物に対して第１のユーザの情報をアンカリングしてもよい。
【００２５】
一実施形態において、各仮想ブイは、探索プロセス中にフィルタまたは探索基準が第２のユーザによって適用されるまたは入力されることを可能にする１つまたは複数の属性を有する。こうした属性は、日付、地理的ロケーション、及び対象物のロケーションまでの移動距離を含んでもよいが、それに限定されない。したがって、第２のユーザが情報を探索しているとき、第２のユーザは、探索する特定の画像を選択し、種々の属性に適用される１つまたは複数の探索基準を入力してもよい。
【００２６】
一実施形態において、マッピングアプリケーションは、第２のユーザが、電子入力デバイスを使用して、画像上の特定のロケーションにわたってカーソルを位置決めし、第１のユーザによってその特定のロケーションにアンカリングされた情報を閲覧することを可能にする。
【００２７】
一実施形態において、マッピングアプリケーションは、ユーザが、「トローリングすること（ｔｒａｗｌｉｎｇ）」によって探索することを可能にし、ユーザは、その電子入力デバイス及びカーソルを使用して、画像のエリアにわたって仮想ネットをキャストし、それにより、探索結果を選択済みエリアだけに制限することができる。
【００２８】
本発明の態様によるシステムは、公的にアクセス可能なシステムであってもよい。代替的に、本発明のシステムは、システムにアクセスしそれを使用するために、第１及び／または第２のユーザの認証を必要とするプライベートシステムであってもよい。
【００２９】
システムは、ユーザが、インターネット等のデータ通信ネットワークを介してそれにアクセスしてもよいコンピュータ実装式システムであってもよい、または、システムは、特定のデバイスに関連するアプリケーションであってもよい。
【００３０】
システムは、システムの機能的フィーチャまたは要素の全てを提供する別個のまたは独立型のアプリケーションであってもよい、あるいは代替的に、システムは、１つまたは複数の外部（第３者）システムであってもよいまたはそれ自身更なる機能を外部（第３者）アプリケーションに提供してもよい。本発明のシステムにおいて使用するのに特に適しているとして想定される典型的な第３者アプリケーションは、ＧｏｏｇｌｅまたはＢｉｎｇマップ等のマッピングアプリケーション、及び、ＦａｃｅｂｏｏｋまたはＬｉｎｋｅｄｉｎ等のソーシャル／プロフェッショナルネットワーキングサイトである。
【００３１】
任意の実施形態による本発明のシステムは、単一アプリケーションであってもよい、または代替的に、別個のアプリケーションが別個のコンピュータプロセッサ上で実行されて、１つまたは複数のフィーチャを別々に実装する分散アプリケーションであってもよい。
【００３２】
ユーザインタフェースは、限定はしないが、パーソナルコンピュータ、ラップトップ、モバイルフォン、またはｉＰａｄ（商標登録）を含む幾つかの電子デバイス、及び、ユーザが本発明のシステムと相互作用し、それを使用することを可能にする電子デバイス上で動作する任意の従来のインタフェースシステムであってもよい。ユーザインタフェースは、同様に、システムにアクセスするためユーザが、例えば一意のユーザ名及びパスワードを入力することを要求することによって、ユーザの詳細の認証を可能にしてもよい。
【００３３】
認証は、ユーザが、情報を更新しようと努める、情報を隠蔽しようと努める、１人または複数人のユーザにとって情報を目に見えるようにしようと努める、及び／または、座標系に対して情報をアンカリングしようと努める状況で要求されてもよい。代替的に、認証は、制限されたアクセスを有する情報のプライベート「オーシャン（ｏｃｅａｎ）」にユーザがアクセスしようと努めるときに要求されてもよい。もちろん、認証は、特に、目に見えかつ公的にアクセス可能である情報のオーシャンをユーザが探索（または、「トリーリング」）しようと努める状況で、常に要求されない場合がある。
アンカリング及びトローリングによる発見
【００３４】
情報は、第１のユーザが、自分自身または自分の所有物内の対象物を、第１のユーザに関連する離散的な情報レコードである１つまたは複数の仮想ブイによって「発見可能（ｄｉｓｃｏｖｅｒａｂｌｅ）」にしようと努めることによってアンカリングされてもよい。各ブイは、座標系上に情報のアンカリング位置を含み、情報のために空間コンテキストを提供し、データレコードをロケーションに関連付けてもよい。例えば、或る時点で特定の大学に通う人は、その大学の地理的ロケーションに対して自分の情報をアンカリングし、それにより、自分自身を、システムの他のユーザに対して「発見可能」にしてもよい。
【００３５】
第１のユーザが、自分自身または自分の所有物内の対象物を、発見されるために利用可能にすることによってアンカリングされた情報は、自分の名前等の詳細、電話番号、モバイルフォン番号、または現在のアドレス等の自分の連絡先詳細を含んでもよい。連絡先詳細は、同様に、電子メールアドレスまたはＳｋｙｐｅアドレスであってもよく、あるいは、ＦａｃｅｂｏｏｋまたはＬｉｎｋｅｄｉｎ等のソーシャルまたはプロフェッショナルネットワーキングサイト上の第１のユーザのプロファイルに対するリンク（例えば、ＵＲＬ、パス、またはポインタ）であってもよい。最終的に、連絡先詳細またはリンクは、２つのパーティ（すなわち、第１及び第２のユーザ）の間の連絡を促進するのに十分な情報を提供する。
【００３６】
一実施形態において、ＦａｃｅｂｏｏｋまたはＬｉｎｋｅｄｉｎ等の第３者ソーシャルネットワーキングウェブサイトに関連するセキュリティフィーチャは、要求される任意のレベルのセキュリティ及びプライバシーをユーザに提供することになる。
【００３７】
更に、各仮想ブイ（または情報レコード）は、トローリング（または探索）プロセスを補助する、限定はしないが名前及び日付等の１つまたは複数の属性を含んでもよい。ユーザがトロール操作（または探索）に集中し、それにより、トロール操作（または探索）の結果として発見される情報量を制限できるため、１つまたは複数の属性が、探索をより容易にするはずであることが認識されるであろう。
【００３８】
一実施形態において、各仮想情報ブイに関連する属性は、仮想ブイがそこにアンカリングされたオーシャンによって決定される。例えば、人々に関する情報を含むオーシャンは、関心のある場所に関する情報を含むオーシャンと比較して、異なる属性を有するであろう。名前及び日付に加えて、関心のある人に関連する情報を求めてトローリングするのを補助する他の考えられる属性は、キーワード、地理的ロケーション、または事象に関する詳細を含んでもよい。
【００３９】
典型的に、１つまたは複数の仮想情報ブイは、情報の規定済みオーシャンにアンカリングされることになり、そこで、各仮想ブイは、関心のある人のレコードにリンクされ、したがって、情報を求めてトローリング（または探索）する人にとって「発見可能」である。
【００４０】
望ましくは、本発明のシステムは、コンピュータ技量が制限された人が使用することができ、それにより、第２のユーザは、情報を求めて容易に「トローリング」できる、または、第１のユーザは、座標系上の任意の地点で情報の「アンカー（ａｎｃｈｏｒ）」を単に落とすことができる。
地理的座標系及びマッピングアプリケーション
【００４１】
一実施形態において、座標系は、地理的座標系であり、「仮想ブイ」が、その上の１つまたは複数の規定済みオーシャン内にアンカリングされてもよい基準を提供する。地理的座標系は、アプリケーションに応じて、１つ、２つ、または複数の次元を有してもよい。考えられる地理的座標系の典型的な例は、地球の表面上の地点の位置を指定するために使用されるグローバル球（緯度／経度）座標系である。他の地理的座標系は、マップ投影モデルを含み、マップ投影モデルは、地球の球表面のマップを、２次元デカルト（Ｘ／Ｙ）座標平面上に投影するために使用される。
【００４２】
マッピングアプリケーションは、画像、あるいは、地理的座標系であって、地理的座標系に関連する画像、地理的マップ、または他のビジュアルまたはオーディオコンテンツをオーバレイしてもよい、地理的座標系に関連付けられ、それにより、第２のユーザがトローリングする地理的座標系をナビゲートすることを、または、第１のユーザが情報の１つまたは複数のオーシャンに関して情報をアンカリングすることを可能にしてもよい。
【００４３】
情報は、限定はしないが、Ｇｏｏｇｌｅマップ、Ａｐｐｌｅマップ、またはＢｉｎｇマップ等のマッピングアプリケーションを使用して、地理的座標系に関連する１つまたは複数のオーシャン上に第１のユーザによってアンカリングされてもよい。
【００４４】
マッピングアプリケーションは、同様に、第２のユーザが、トローリングし（または、第２のユーザの電子入力デバイス及びカーソルを移動させ、それにより、規定済みの地理的エリアにわたって仮想ネットをドラッグすることによって探索し）、地理的座標系上の関心のある地点であって、その地点で情報が第１のユーザによってアンカリングされた、関心のある地点を位置特定することを可能にする機能を提供してもよい。その最も幅広い形態において、マッピングアプリケーションは、同様に、メディアプレーヤ、画像ビュアー、及びテレビジョン等のアプリケーション及びデバイスを含んでもよい。
情報の１つまたは複数のオーシャン
【００４５】
本明細書の文脈における用語「オーシャン（ｏｃｅａｎ）」は、任意の所望のカテゴリにするデータの論理的または物理的分離を意味する。一例として、こうしたカテゴリは、或る個人または異なるグループに関する情報、または、特定の日付範囲に関連する或る事象に関する情報を含んでもよいが、それに限定されない。もちろん、オーシャンの数及びその目的は、第１及び第２のユーザがそれを通して互いに接触しようと努める情報の性質に依存することになる。
【００４６】
１つまたは複数のオーシャンにするデータの物理的分離がデータの論理的分離を維持するのを補助し、それによって、単一システムが種々の目的で使用されることを可能にし、また同様に、１つのシステムが異なるユーザグループの要求に応じることを可能にし、また同様に、データの過密化を回避するのを補助することが認識されるであろう。
【００４７】
情報の「オーシャン」は、公的にアクセス可能であってもよく、または、プライベートであり、したがって、情報のその特定のオーシャンに対して許可されたアクセスを提供したユーザの選択グループだけにとってアクセス可能であってもよい。この点に関して、種々のグループが、ユーザの選択グループに情報を提供することができてもよい、または、単一ユーザが、ユーザの選択グループだけに対して自分自身を発見可能にすることができてもよい。これは、好ましくは、自分の情報をアンカリングする第１のユーザが、１つまたは複数のオーシャンを完全にまたは部分的に「ターンオンする（ｔｕｒｎ  ｏｎ）」（目に見えるようにする）または「ターンオフする（ｔｕｒｎ  ｏｆｆ）」（隠蔽する）ことを可能にすることによって達成される。例えば、第１のユーザは、自分の連絡先詳細を、人々の選択グループだけに対して目に見えるようにすることを好む場合があるため、オーシャンを、第２のユーザの選択グループに対して部分的に目に見えるようにする場合がある。
【００４８】
本発明の実施形態が、第２のユーザが必要に応じて「ターンオンする」または「ターンオフする」ことができてもよい１つまたは複数のオーシャンを使用して、異なる層の情報にアクセスし、それを閲覧してもよいことが認識されるであろう。
画像の表現及びマッピングアプリケーションの表示
【００４９】
一実施形態において、画像は、自動車、調度品、家、またはコンピュータ等の対象物を含むが、それに限定されない。
【００５０】
画像は、任意のタイプの画像であってもよく、グラフィカル画像、ワイヤフレーム画像、３Ｄ仮想モデル、または写真を含むが、それに限定されない。
【００５１】
一実施形態において、画像は、座標系に重ね合わされ、それが、画像に関連するマッピングアプリケーションの使用によって、画像内に位置する対象物または対象物の一部をユーザが識別及び／または選択することを可能にする。一実施形態において、座標系は、格子座標系であり、「仮想ブイ」が、その上で画像内にアンカリングされてもよい基準を提供する。格子座標系は、アプリケーションに応じて１つ、２つ、または複数の次元を有してもよい。
本発明の方法
【００５２】
別の態様において、本発明は、１人または複数人の第２のユーザによる第１のユーザに関する情報のためのコンピュータ実装式システムを提供し、方法は、第１のユーザが、第１のユーザインタフェースを通して、コンピュータ実装式システムであって、画像及びマッピングアプリケーションを含む、コンピュータ実装式システムにアクセスすること、第１のユーザが、画像に関連するマッピングアプリケーションを使用して画像をナビゲートすること、及び、第１のユーザが、１人または複数人の第２のユーザによる第１のユーザに関する情報の発見を可能にする情報を画像にアンカリングすることを含む。
【００５３】
別の態様において、本発明は、１人または複数人の第２のユーザによって第１のユーザを発見するためのコンピュータ実装式方法を提供し、方法は、第１のユーザが、第１のユーザインタフェースを通して、コンピュータ実装式システムであって、座標系、情報の１つまたは複数のオーシャン、及びマッピングアプリケーションを含む、コンピュータ実装式システムにアクセスするステップと、第１のユーザが、座標系に関連するマッピングアプリケーションを使用して座標系をナビゲートするステップと、第１のユーザが、座標系に関連するマッピングアプリケーションを使用して情報の１つまたは複数のオーシャンに対して情報をアンカリングするステップとを含み、情報は、１人または複数人の第２のユーザによる第１のユーザの発見を可能にする。
【００５４】
別の態様において、本発明は、第１のユーザに関連する対象物を発見するコンピュータ実装式方法を提供し、方法は、第１のユーザが、ユーザインタフェースを通して、コンピュータ実装式システムであって、情報の１つまたは複数の対象物に関連する画像及びマッピングアプリケーションを含む、コンピュータ実装式システムにアクセスするステップと、第１のユーザは、マッピングアプリケーションを使用して画像をナビゲートするステップと、第１のユーザは、マッピングアプリケーションを使用して、画像に対して、情報であって、１人または複数人の第２のユーザによる第１のユーザに関連する対象物の発見を可能にする、情報をアンカリングするステップとを含む。
【００５５】
別の態様において、本発明は、１人または複数人の第２のユーザが第１のユーザに関する情報を発見することを可能にする方法を提供し、方法は、１人または複数人の第２のユーザが、ユーザインタフェースを通して、コンピュータ実装式システムであって、画像及びマッピングアプリケーションを含む、コンピュータ実装式システムにアクセスすること、及び、１人または複数人の第２のユーザが、マッピングアプリケーションを使用して情報を探索して、画像にアンカリングされた情報の１つまたは複数の仮想ブイを位置特定し閲覧することを含む。
【００５６】
別の態様において、本発明は、１人または複数人の第２のユーザが第１のユーザを発見することを可能にする方法を提供し、方法は、１人または複数人の第２のユーザが、ユーザインタフェースを通して、コンピュータ実装式システムであって、座標系、情報の１または複数のオーシャン、及びマッピングアプリケーションを含む、コンピュータ実装式システムにアクセスするステップと、１人または複数人の第２のユーザが、座標系に関連するマッピングアプリケーションを使用して情報を求めてトローリングして、１人または複数人のオーシャン内にアンカリングされた情報の１つまたは複数の仮想ブイを位置特定し閲覧するステップとを含む。
【００５７】
別の態様において、本発明は、１人または複数人の第２のユーザが第１のユーザに関連する１つまたは複数の対象物を発見することを可能にする方法を提供し、方法は、１人または複数人の第２のユーザが、ユーザインタフェースを通して、コンピュータ実装式システムであって、１つまたは複数の対象物に関連する画像及びマッピングアプリケーションを含む、コンピュータ実装式システムにアクセスすること、及び、１人または複数人の第２のユーザが、マッピングアプリケーションを使用して画像を探索して、画像にアンカリングされた情報の１つまたは複数の仮想ブイを位置特定し閲覧することを含む。
【００５８】
データの２つ以上のオーシャンが存在する実施形態において、第１のユーザは、同様に、１つまたは複数の仮想ブイをその中でナビゲートしアンカリングする関心のある１つまたは複数のオーシャンを選択してもよい。
【００５９】
一実施形態において、第１のユーザは、関心のある位置でアンカーを落とす機能を
呼出してもよい。これは、電子入力デバイスを用いてメニュー関数をクリックすること、タッピングすること、または呼出すことを含んでもよい。第１のユーザは、同様に、探索基準に従ってユーザが発見されることを可能にすることになる情報の仮想ブイに関連することになる属性でフィールドを満たしてもよい。或る実施形態において、コンピュータシステムが、属性、例えば、第１のユーザのログイン詳細に関連する第１のユーザの名前で、種々のフィールドを自動的に満たすことができてもよいことが認識されるであろう。
【００６０】
第１のユーザは、同様に、ＦａｃｅｂｏｏｋまたはＬｉｎｋｅｄｉｎ等のそのソーシャルまたはプロフェッショナルネットワーキングプロファイル等の第３者ウェブサイトにリンクまたは或るポインタを提供してもよい。
関心のある人を発見するためのユーザトローリング
【００６１】
データの２つ以上のオーシャンが存在する実施形態において、第２のユーザは、同様に、トロール操作（または探索）をその中で行う関心のある１つまたは複数のオーシャンを選択してもよい。
【００６２】
大量の情報が存在する状況において、第２のユーザは、同様に、自分の探索を限定する１つまたは複数の探索基準を、第１のユーザに関連する属性に入力して、トロール操作エリアを制限してもよい。例えば、第２のユーザは、キーワード、地理的ロケーション、及び／または日付範囲によってトロール操作エリアを制限してもよい。
【００６３】
トロール操作を終了するとすぐに、第２のユーザは、入力済みの探索基準に整合する１つまたは複数の結果（仮想ブイ）を提示されてもよい。この時点で、第２のユーザは、仮想ブイを検査し、名前及び電話番号等の属性が仮想ブイに関連する場合、連絡先情報を識別することができてもよい。代替的に、トロール操作基準に整合する仮想ブイがＦａｃｅｂｏｏｋ等のソーシャルウェブサイトに対するリンクを含む場合、第２のユーザは、そのリンクを選択して、または、その他の方法でそれを使用して、発見済みの第１のユーザのウェブサイトに転送される。
【００６４】
本発明の実施形態は、ここで、添付図を参照して更に詳細に述べられる。
【図面の簡単な説明】
【００６５】
【図１】システム構成要素を識別する本発明の一実施形態によるシステムの、また、ユーザが、関心のある人を発見するための情報をアンカリングするまたは情報を求めてトローリングすることを可能にするため、構成要素がどのように互いに関連するかの概念図である。
【図２】マッピングアプリケーションと地理的座標系との間の関連付けを詳述し、また同様に、本発明の一実施形態に従ってオーシャンに対してユーザの個人情報をアンカリングすることを示す概念図である。
【図３】情報ブイに関連する場合がある考えられる属性の表であって、考えられる各属性の例に加えて各属性の説明／目的を有する、表である。
【図４】２つのパーティ間の相互作用を促進するため、関心のある人に関連するより多くの情報を提供するように属性が情報ブイにどのようにリンクすることができるかの概念図である。
【図５】本発明の一実施形態によるユーザインタフェースの例を提供する図であり、特に、埋め込み式マッピングアプリケーション、種々のアンカリング済み情報、発見済みの関心のある人の連絡先詳細、及び、トロール操作を制限する及び／またはそれに集中するためユーザによって採用されたトロール操作フィルタを詳述する。
【図６】ユーザが自分自身を発見可能にすることを可能にする本発明の一実施形態に従って、システムがどのように使用されてもよいかのブロック図である。
【図７】ユーザが関心のある人を発見することを可能にする本発明の一実施形態に従って、システムがどのように使用されてもよいかのブロック図である。
【図８】本発明の一実施形態による、システムにアクセスしようと試みるとユーザが遭遇するユーザインタフェースの例を提供する図である。
【図９】本発明の一実施形態による、トロール操作の結果を示すユーザインタフェースの例を提供する図である。
【図１０】本発明の一実施形態による、自動車の画像に関して行われた探索の結果を示すユーザインタフェースの例を提供する図である。
【図１１】本発明の一実施形態による、自動車の画像の表示に関して行われた探索の結果を示すユーザインタフェースの例を提供する図であり、特に、発見済みの関心のある人の連絡先詳細を示す。
【発明を実施するための形態】
【００６６】
本発明の一実施形態によるシステムは図１に示され、システム構成要素及びそれらの相互関係が示される。この実施形態において、限定はしないが、パーソナルコンピュータ、ラップトップ、モバイルフォン、またはｉＰａｄ（商標登録）を含む任意のデバイスであってもよいコンピュータ実装式システム（１）は、ユーザインタフェース（３）を通してアクセスされ、地理的座標（格子／座標）系（７）に関連するマッピングアプリケーション（５）を含む。マッピングアプリケーション（５）、例えば、Ｇｏｏｇｌｅマップは、ユーザが、情報の１つまたは複数のオーシャン（９）をトローリングして、地理的座標系（７）をナビゲートし、関心のある人に関連しかつ１または複数のオーシャン（９）にアンカリングされた１または複数の情報ブイ（１１）を位置特定することを可能にする。図１は、同様に、１または複数のブイ（１１）が、限定はしないがＦａｃｅｂｏｏｋ及び／またはＬｉｎｋｅｄｉｎ等のプロフェッショナルまたはソーシャルネットワーキングサイトを含む任意の第３者ウェブサイトに対する１つまたは複数のリンク（１３）に関連付けられることを示す。
【００６７】
図１の例証は、同様に、ユーザが、自分自身をシステムにアクセスする他のユーザに対して発見可能にしようと努めるときの、ユーザによりシステム（１）上への情報のアンカリングを証明する内向き矢印（１５）を示す。図１は、同様に、システム（１）に対して自分自身を発見可能にした関心のある人をユーザが発見しようと努めるときの、ユーザによるトローリングを証明する外向き矢印（１７）を示す。
【００６８】
最初はいつでも、発見可能な個人情報を入力しようと努めるユーザは、最初にシステム（１）上に登録し、最低限、ユーザ名及びパスワードを提供することによってプロファイルを作成しなければならない。システム（１）に再入力するため、ユーザは、必ず認証プロセスを受け、自分のユーザ名及びパスワードを再入力し、それにより、ユーザの個人詳細及び／または発見可能な情報が、正しい認証詳細の入力後に更新／変更されることを可能にするだけであるセキュアなシステムを保証する。もちろん、ユーザが関心のある人に関する情報を探索しようと努めるだけである場合、プロファイルを作成することは必要でない場合があり、ユーザは、認証ステップなしで、システム（１）にアクセスしてもよい。
【００６９】
図１に示すシステム（１）は、コンピュータシステム、１つまたは複数のコンピュータアプリケーション、または、ユーザがシステム（１）にアクセスすることを可能にするユーザインタフェースを有する任意のデバイスであってもよい。システム（１）は、ユーザが、情報にアクセスし、情報をトローリングし、情報をアンカリングすることを可能にするのに必要な全ての機能を提供する独立型システムであってもよい。他の実施形態において、システム（１）は、ユーザが情報をトローリングしアンカリングすることを可能にするフィーチャ／アプリケーションの全てまたは少なくとも一部を提供するＧｏｏｇｌｅマップ等の別の第３者システム内に埋め込まれてもよい。代替的に、システム（１）は、既存の第３者アプリケーションに更なる機能を提供してもよく、それにより、その機能は、ユーザが情報をトローリングしアンカリングすることを可能にする。システム（１）は、インターネットを通して公的にアクセス可能であってもよい、または、システム（１）は、限定されたアクセスを有するプライベートプログラムであってもよい。
【００７０】
本発明のシステム及び方法が、インターネット等のデータ通信ネットワークまたは電話帳等の従来の探索ツールを使用して、過去の友人、知人、及び親戚を位置特定しようと試みるときに多くの人々が直面する困難さに対処することが認識されるであろう。現行の技法を使用して関心のある人を探索することは、しばしば退屈であり、またしばしば、結果を全くもたらさないかまたは大量の結果をもたらす可能性があり、大量の結果は、容量が大きいため有用でなくなる、または、関心のある人を位置特定するときの補助を提供する。
【００７１】
本発明の一実施形態によるシステム及び方法は、関心のある人が地理的に探索されることを可能にする。したがって、１人または複数人の関心のある人を位置特定しようと努めるいずれのユーザも、その地理的ロケーションに関連付けられると、人がその中にいたことがわかっている地理的エリアの画像をトローリング（または探索）してもよい。例えば、人は、特定のロケーションまたはそのロケーションの事象に関連付けられてもよい。探索（トロール操作）がうまくいく場合、ユーザは、好ましくは、発見される関心のある人のソーシャルまたはプロフェッショナルネットワーキングサイトに対するリンクに追従することができ、それが、ユーザと関心のある人との間の接触を促進することになる。
【００７２】
以下の説明は、本発明のシステム及び方法の特定の実施形態に関する。しかし、本発明が、述べるシステム及び方法の特定のフィーチャに限定されないことが当業者によって認識されるであろう。
【００７３】
図２に示す実施形態において、システムは、Ｇｏｏｇｌｅマップ等のマッピングアプリケーション（２０）を埋め込む独立型コンピュータシステムとして構築される。Ｇｏｏｇｌｅマップは、本発明のシステムの述べる実施形態において使用するのに特に適する。その理由は、本アプリケーションが種々のプラットフォーム上で働き、広範なアプリケーションプログラミングインタフェース（ＡＰＩ：ａｐｐｌｉｃａｔｉｏｎ  ｐｒｏｇｒａｍｍｉｎｇ  ｉｎｔｅｒｆａｃｅ）を有することが認識されることになるからである。Ｇｏｏｇｌｅマップが他のアプリケーションに埋め込まれることを可能にし、また同様に、他のフィーチャ／アプリケーションがマップ上に重ね合わされることを可能にするのはＡＰＩである。Ｇｏｏｇｌｅマップは好ましいマッピングアプリケーションであるが、ＡｐｐｌｅまたはＢｉｎｇマップ等の他のマッピングアプリケーションが、本発明のシステム及び方法と共に使用されてもよい。
【００７４】
マッピングアプリケーション（２０）は、１つまたは複数の情報ブイ（２４）が、情報（２８）の１つまたは複数のオーシャン（２６）にアンカリングされることができる地理的座標系（２２）上の地点をユーザが位置特定することを可能にする機能を提供する。更に、マッピングアプリケーション（２０）は、同様に、ユーザが、他のユーザによってアンカリングされた任意の情報を求めてその上でトローリング（または探索）することを意図されるエリアを位置特定することを可能にする。他の実施形態において、ユーザは、マッピングアプリケーション（２０）を使用して、別のユーザによって販売のために提供される場合がある予備部品を探索して、自動車の対象物、例えば、特定のメイク（ブランド）及びモデルの画像を探索することができる。
【００７５】
図２に示す実施形態において、地理的座標系（２２）は地球の表面上の地点の位置を指定するために使用されるグローバル球（緯度／経度）座標系を使用する。他の地理的座標系が、マップ投影モデルを含み、マップ投影モデルが、地球の球表面のマップを、２次元デカルト（Ｘ／Ｙ）座標平面上に投影するために通常使用されることが認識されるであろう。本発明のシステム内で使用されてもよい他の座標系は、アプリケーションに応じて、１つ、２つ、または複数の次元を有してもよい。
【００７６】
図２に示すシステムは、公的にアクセス可能である「所定のロケーションの人々（ｐｅｏｐｌｅ  ａｔ  ｌｏｃａｔｉｏｎ）」の１つのオーシャン（２６）だけを含む。オーシャン（２６）が、地理的座標系（２２）に重なり合うアンカリング済み情報を含むデータの層を形成することが認識されるであろう。幾つかの実施形態において、汎用リレーショナルデータベースを採用することが可能である場合があるが、好ましい実施形態において、情報のオーシャンをその中に記憶する空間データベースが採用される。
【００７７】
図２を更に参照すると、情報ブイ（２４）は、実際の関心のある人及びその人が特定のロケーションと持つ関係を表す。特定のブイに関連する情報の例は、図３に示され、「所定のロケーションの人々」のオーシャン（２６）内の各情報ブイまたはレコードは、図３に示すような属性を有する。一実施形態において、アンカリング済みブイは、空間データベース内の行またはレコードとして実装される。
【００７８】
図２に示す実施形態において、情報（２８）に、図４に示すリンク（３０）が関連付けられる。リンク（３０）は、ソーシャルメディアプロファイルに対するＵＲＬハイパーリンクとして実装され、また、情報ブイ（２４）内に捕捉され、図３の表に挙げられる属性の１つである。
ユーザ相互作用を伴う所定のロケーションの人々
【００７９】
以下のセクションは、「所定のロケーションの人々」の実施形態に従って本発明の一実施形態によるシステムとユーザがどのように相互作用してもよいかを述べる。
【００８０】
本発明のシステム及び方法の実施形態は、ユーザが、特別な技量なしで情報をアンカリングしトローリングすることを可能にする。これは、「アンカリング（ａｎｃｈｏｒｉｎｇ）」または「トローリング（ｔｒａｗｌｉｎｇ）」が同時に実施されることを可能にする単一ウェブページユーザインタフェースの使用によって達成されてもよい。本発明のシステム及び方法と共に使用されてもよいインタフェースの例は図５に示される。図５に示すインタフェースが、考えられる１つの構成だけを示し、特定の実施形態及びアプリケーションに適する他のインタフェース構成が可能であることが認識されるであろう。
【００８１】
好ましくは、ユーザインタフェースは、「アンカリング」及び「トローリング」である少なくとも２つのユーザ相互作用をサポートすることになる。他の実施形態において、ユーザインタフェースは、更なる機能の範囲をサポートしてもよく、更なる機能は、
・ユーザ選好／ユーザ詳細を設定すること
・ヘルプ及び情報を取得／提供すること
・ユーザ登録詳細を入力すること
・ログアウト／退出機能
・ユーザが、システムを更新し、アンカーを削除／除去することを可能にすること
・ユーザが、不適切／不正確と考えられるアンカーを報告することを可能にすること
・ユーザが新しいパスワードを取得／設定することを可能にすること
を含むが、それに限定されない。
【００８２】
システムは、同様に望ましくは、自動化プログラム（すなわち、非人間ユーザ）による情報の不要なアンカリング及びセービングを防止するＣＡＰＴＣＨＡ等の１つまたは複数のセキュリティフィーチャを有することになる。
ユーザが自分自身を発見可能にすることを所望するアンカリング情報  
【００８３】
ユーザが本発明の一実施形態に従ってシステム上で情報をアンカリングするときに含まれるステップが、図６のブロック図に示される。
【００８４】
第１のステップは、インターネットにわたって入手可能な、システムに関連するユーザインタフェースを通してシステムにアクセスすることを含む。ユーザは、ブラウザをローンチし、ＵＲＬを入力することによってシステムにアクセスすることができ、ＵＲＬ上で、ユーザは図８に示すログインページを提示される。
【００８５】
ユーザの認証が要求され、したがって、ユーザは、自分のユーザ名及びパスワードを入力するよう促される。正しいユーザ名及びパスワード詳細を提供するとすぐに、ユーザは、システムプロファイルに導かれ、システムプロファイルは、自分の名前等のユーザの個人詳細、及び、情報ブイを自動で満たすために使用され得る関連するソーシャルメディアプロファイルに対する任意のリンクを含む場合がある。
【００８６】
ユーザが自分のシステムプロファイルに導かれると、ユーザは、通常、その中で情報をアンカリングしようと努める情報のオーシャンを選択することになる。この実施形態において、唯一のオーシャンが「所定のロケーションの人々」のオーシャンであるため、ユーザは、オーシャン選択ステップを引受ける必要はない。
【００８７】
自分の個人情報をアンカリングするため、ユーザは、マップにわたって自分のマウスポインタをドラッグすることによってＧｏｏｇｌｅマップをナビゲートして、例えば、自分のプロファイルがそれにアンカリングされた過去の住所の関心のある位置（緯度／経度座標）を位置特定する。
【００８８】
ロケーションが識別されると、ユーザは、自分のマウスを所望のロケーション上でクリックすることによってアンカーを「落とし（ｄｒｏｐ）」、それにより、自分の個人情報を有する情報ブイを関心のあるロケーションでアンカリングしてもよい。好ましくは、情報ブイは、自分のソーシャルメディアプロファイルに対するＵＲＬリンクを含み、ブイは、アンカーをユーザが「落とす」とすぐに、自動で満たされる。ユーザがオーシャンにアンカリングされた情報ブイをセーブすると、情報ブイは、他のユーザによる発見のために利用可能になる。
【００８９】
ユーザは、更なるアンカーを「落とし」続けてもよい、または、関心のある人を発見するため情報を求めてトローリングすることを選択してもよい、または、システムを退出することを選択してもよい。
１人または複数人の関心のある人をユーザが発見することを所望する、情報を求めるトローリング
【００９０】
本発明の一実施形態によるシステム内でユーザが情報を求めてトローリングすることに含まれるステップは、図７のブロック図に示される。
【００９１】
第１のステップは、インターネットにわたって入手可能な、システムに関連するユーザインタフェースを通してシステムにアクセスすることを含む。ユーザは、ブラウザをローンチし、ＵＲＬを入力することによってシステムにアクセスすることができ、ＵＲＬ上で、ユーザは図８に示すログインページを提示される。
【００９２】
ユーザの認証が要求され場合、ユーザは、自分のユーザ名及びパスワードを入力するよう促されることになる。正しいユーザ名及びパスワード詳細を提供するとすぐに、ユーザは、システムプロファイルに導かれ、システムプロファイルは、自分の名前等のユーザの個人詳細、及び、情報ブイを自動で満たすために使用され得る関連するソーシャルメディアプロファイルに対する任意のリンクを含む場合がある。
【００９３】
ユーザが自分のシステムプロファイルに導かれると、ユーザは、通常、その中で情報を求めてトローリングしようと努める情報のオーシャンを選択する必要があることになる。この実施形態において、唯一のオーシャンが「所定のロケーションの人々」のオーシャンであるため、ユーザは、オーシャン選択ステップを引受ける必要はない。
【００９４】
返される探索結果を絞るまたは制限する手段として、ユーザは、ユーザインタフェース上に位置するトロール操作フィルタ内に特定のデータ範囲等の探索基準を入力することによって自分の探索を洗練してもよい。こうしたトロール操作フィルタの例は、図９に示すインタフェースに示される。
【００９５】
所望のオーシャンが選択され、探索基準がトロール操作フィルタに入力されると、ユーザは、Ｇｏｏｇｌｅマップをナビゲートし、自分のポインタをマップ上でドラッグすることによって関心のある人に関連する情報を求めてトローリングして、関心のある位置、例えば、関心のある人のわかっている過去の住所を位置特定する。ユーザがシステムをナビゲートするにつれて、探索クエリが、空間データベース上で実施されて、探索またはフィルタリング基準に適合するトロール操作エリア内で任意の結果／レコードを識別する。これらのレコード／結果は、その後、図９に示しようにマップ上に重ね合わされ、ユーザの目に見え、好ましくは関心のある人のソーシャルメディアプロファイルに接続されたリンクを通して、ユーザが、関心のある人に接触することを可能にする。
【００９６】
所与のエリア内に多数の表示する結果が存在する場合、要約マーカが、その特定のロケーションに示され（例えば、図９に示す要約マーカ（２３））、入力済みの探索またはフィルタ基準に整合するどれだけのレコードがそのロケーションに存在するかを示す。ユーザは、探索を洗練して、返される結果／レコードを更に制限する。
【００９７】
関心のある人が識別されると、ユーザは、更なる関心のある人を発見するため情報を求めてトローリングし続けてもよい、または、自分自身を発見可能にするため１つまたは複数のアンカーを「落とし」てもよい、または、システムを退出することを選択してもよい。
【００９８】
本発明のシステム及び方法は、同様に、ユーザによって使用されて、関心のある人に関連する対象物または対象物の部品、例えば、図１０の実施形態に示す自動車または自動車の任意の部品を識別してもよい。図１０から見られるように、幾つかのアンカーが画像上に重ね合わされ、購入のために入手可能である場合がある自動車のユーザ部品を示す。
【００９９】
各アンカーが、自動車のその特定の部品を所有する１人または複数人の関心のある人のブイに関連付けられることが認識されるであろう。例えば、また、図１１に示すように、関心のある人の連絡先詳細は、ユーザが、自動車のフロントヘッドライトに関連するアンカー上に自分のカーソルを位置決めすると現れる。したがって、その特定の自動車部品に関連付けられ、自分自身を発見可能にした関心のある人は、ユーザが、自動車のその特定の部品を、発見された関心のある人から購入することまたはその他の方法で採取することに興味がある場合、ユーザによって連絡されてもよい。
【０１００】
図１０及び１１は自動車の予備部品を所有する関心のある人を識別することを対象とするが、他の実施形態は、限定はしないが、オートバイ及びオートバイ部品及び付属品、調度品、衣料品及び付属品、またはコンピュータ部品及び付属品を含む対象物を所有する及び／またはそれを売ることに興味がある関心のある人を識別することを対象としてもよい。
【０１０１】
図１０及び１１に示す画像は、汎用自動車の２次元画像であるが、他の実施形態では、画像が３次元画像であってもよく、また、操作されることができてもよく、ユーザが、例えば、３次元で画像を回転させ、また同様に、所望に応じてズームイン及びズームアウトして、画像内に示される対象物の特定のセクションを明瞭に識別し、そこに焦点を当てることができることが認識されるであろう。
【０１０２】
本発明のシステム及び方法が、ユーザフレンドリであり、それにより、任意のユーザ、コンピュータ技量のレベルが低いユーザでも、本発明のシステム及び方法の使用によって自分自身を発見可能にすることを可能にすることが認識されるであろう。システム及び方法は、同様に、複数のユーザが、例えば、ネットワークまたはインターネットを通じてシステムにアクセスし使用することを可能にし、それにより、システムであって、使用するのが容易であるだけでなく、関心のある人または関心のある人に関連する対象物を識別するためシステムを使用しようと努める及び／または自分自身を発見可能にしようと努める任意の人によって幅広くアクセス可能である、システムを提供する。
【０１０３】
本発明のシステム及び方法が、種々の物品または部品の専門知識または詳細知識を持たない普通のユーザが物品の部品を閲覧し、より容易に位置特定することを可能にすることが同様に認識されるであろう。
【０１０４】
例えば、ユーザは、自分の冷蔵庫用のサーモスタットを位置特定したいと思う場合がある。ユーザは、サーモスタットの名前または部品番号を知らない場合があるが、自分の冷蔵庫のブランドを知っている可能性がある。したがって、本発明のシステム及び方法は、自分の冷蔵庫の画像、例えば、ユーザが操作（すなわち、回転及びズームイン）できる仮想３次元モデルを閲覧して、冷蔵庫の文脈で関心のあるサーモスタットを識別することを可能にする。適切なサーモスタットが識別されると、ユーザは、別のユーザであって、同じサーモスタット部品を所有し、自分の情報を３次元画像上でサーモスタット部品にアンカリングした、別のユーザの連絡先詳細を取得してもよい。
【０１０５】
特に、先の例において、サーモスタットを所有する普通の人も、新しいサーモスタットを必要とする普通の人も、部品番号または更に部品の名前を知る必要はない。したがって、サーモスタット部品は、冷蔵庫販売員または機械工等から更なるエキスパートまたは専門家の助言をユーザが求める必要なしで、容易に販売のために提供されてもよい及び／または調達されてもよい。
【０１０６】
本明細書及び次に続く特許請求の範囲全体を通して、文脈が別途要求しない限り、ワード「備える（ｃｏｍｐｒｉｓｅ）」ならびに「備える」及び「備えている（ｃｏｍｐｒｉｓｉｎｇ）」等の変形は、述べる整数またはステップあるいは整数またはステップの群の包含を示唆するが、任意の他の整数またはステップあるいは整数またはステップの群の排除を示唆しないと理解される。
【０１０７】
実施形態において詳述される本発明に対して多数の変形及び／または修正が、幅広く述べられる本発明の精神または範囲から逸脱することなく行われてもよいことが当業者によって認識されるであろう。したがって、本実施形態は、全ての態様において、例証的であり制限的でないと考えられる。
【図１】
2018533132.tif 000003
【図２】
2018533132.tif 000004
【図３】
2018533132.tif 000005
【図４】
2018533132.tif 000006
【図５】
2018533132.tif 000007
【図６】
2018533132.tif 000008
【図７】
2018533132.tif 000009
【図８】
2018533132.tif 000010
【図９】
2018533132.tif 000011
【図１０】
2018533132.tif 000012
【図１１】
2018533132.tif 000013
【手続補正書】
【提出日】平成29年10月3日(2017.10.3)
【手続補正１】
【補正対象書類名】明細書
【補正対象項目名】全文
【補正方法】変更
【補正の内容】
【発明の詳細な説明】
【技術分野】
【０００１】
本発明は、限定はしないが、特定のロケーションに現在または過去に存在する人、クラブ、社会、または教育施設の過去のまた現在のメンバ、または、事象に関連する人等の関心のある人、あるいは対象物を発見するシステム及び方法に関する。
【背景技術】
【０００２】
コンピュータ、例えば、Ｆａｃｅｂｏｏｋ及びＬｉｎｋｅｄｉｎ等のソーシャルまたはプロフェッショナルネットワーキングサイトによって人々を探索し位置特定するためのアプリケーションが現在存在する。しかし、こうしたアプリケーションの効果的な使用は、特定の人を位置特定しようと試みる探索者が、現在の名前を含む比較的正確な詳細及び／または探索者が位置特定しようと努めるアドレス詳細を有することを必要とする。これは、人々が、結婚または他の状況を通して自分の名前を変える、住所を移す、または、人々が共通の名前を有する状況で、人々を位置特定するのに困難さを呈する。こうした困難さは、人を位置特定することを問題の多いものにまた更に不可能にする。同様な欠点は、関心のある人の正確でかつ現在の名前及び／またはアドレス詳細を有する探索者に頼る従来の電話またはアドレス帳に関して存在する。
【０００３】
更に、関心のある人を位置特定するための従来の方法及びアプリケーションは、インターネット等のデータ通信ネットワーク上で捕捉され利用可能な情報の量が膨大であるため、不可能でない場合、人々を探索することを同様に難しくする。Ｇｏｏｇｌｅ等のアプリケーションの使用によるテキストベース探索は、しばしば、特に関心のある人にとって重要でない多くの結果を探索者に返す。
【０００４】
関心のある人を位置特定するための従来の方法及びアプリケーションに関連する更なる不利益は、しばしば、探索者が、インターネット上で入手可能な膨大な量の情報をフィルタリングすることを要求され、そのことが、特定のテキスト探索基準を探索ツールに入力することを探索者に要求し、探索ツールが、不適切なまたは一般的な／曖昧な探索用語の入力によって、しばしば、不正確な結果をもたらすことである。したがって、所定の時刻の特定の事象に関連する関心のある人を位置特定することは、不可能でない場合、難しい。
【０００５】
現在、或る人が、過去の事象に関連する別の人、例えば、或る日付範囲の間で特定の教育施設に通う１人または複数人のメンバに関する情報を位置特定しようと努める場合、登録レコード等の施設に関する詳細を公表するまたはその他の方法で入手可能にするため、特定の教育施設に対して、通常、信頼が置かれなければならない。しばしば、この情報は、種々のグループによって公表されず、結果として、所定の時刻に関心のある特定の事象または場所に関連する人及び／または詳細を位置特定することは、難しいままであり、また時として、不可能である。
【０００６】
情報を公表しないまたは情報を入手可能にしない種々のグループに加えて、プライバシー問題が、同様に、関心のある人に関する情報にアクセスすることを益々難しくする。この点に関して、プロフェッショナルネットワーキングサイトＬｉｎｋｅｄｉｎ内で採用される独占的連絡アレンジメント、例えば、「Ｉｎ−ｍａｉｌ」が、益々使用されて、Ｌｉｎｋｅｄｉｎネットワーキングサービスによって登録された人々のプライバシーを保護する。
【０００７】
更に、ソーシャルクラブまたは教育施設などのグループが、インターネット等のデータ通信ネットワーク上で情報を公表及び／または更新しようと努める状況において、ウェブサイトを構築するときにエキスパートの技量及び知識が要求され、それは、通常、外部ウェブデザインエキスパートの補助を伴う。
【０００８】
種々のウェブサイト、例えば、ｅＢａｙ、ｅ−ｃｏｍｍｅｒｃｅウェブサイト、Ｇｕｍｔｒｅｅ、またはオンラインクラシファイド広告ウェブサイトが利用可能であり、それらのウェブサイトは、ユーザが、販売のために広告する、及び／または、関心のある種々の対象物、例えば、自動車、コンピュータ、または関心のある任意の対象物に関連する予備部品、付属品、または品目を位置特定することを可能にする。こうしたウェブサイトは、しばしば、使用するのが難しい可能性がある。その理由は、販売用の対象物が、関心のある対象物を購入しようと努める人によって使用される用語に必ずしも相関しない場合がある、販売者によって一般に選択される特定の探索用語を使用して識別されるだけである可能性があるからである。したがって、潜在的な販売及び購入の機会は、販売者及び潜在的な購入者が一貫した探索用語を使用できないことに関連する難しさによって、しばしば喪失される。
【０００９】
関心のある対象物は、同様に、Ｇｏｏｇｌｅ等の探索エンジンを使用して位置特定される場合があり、探索エンジンにおいて、関心のある対象物を購入しようと努める人は、関連する探索用語またはキーワードを入力する。関心のある対象物を位置特定するこの方法は、テキストベース探索用語の入力を要求する先に述べたｅＢａｙ及びＧｕｍｔｒｅｅ等の探索ウェブサイトに関連する同じ問題を有する。更なる困難さは、有効かつ重要な探索結果の曖昧化が有料広告に起因することによって生じる。この点に関して、有料広告の結果として、キーワード探索が、しばしば、探索結果の優位性を増すため支払がそれについて全く行われなかった結果と比較して重要でないまたは重要性が小さい結果をもたらすまたは識別することが認識されるであろう。結果として、潜在的な購入者は、多くの場合、入力された探索用語に従ってユーザに提示される優位性があるが重要でない多くの探索結果内をスクロールせずに、関心のある対象物を位置特定することが難しいとわかる。
【発明の概要】
【発明が解決しようとする課題】
【００１０】
本発明は、関心のある人または対象物を発見する従来の方法に関連する先の不利益の少なくとも幾つかに対処することを意図される。
【００１１】
本明細書におけるいずれの従来技術に対する参照も、従来技術が、特許請求の範囲の優先日における共通の一般的知識の一部を形成するという、承認または任意の示唆として提案されていない、あるいは達成されていない。
【課題を解決するための手段】
【００１２】
一態様において、本発明は、第１のユーザに関する個人連絡先情報の発見を可能にするコンピュータ実装式システムを提供し、システムは、第１及び第２のユーザが使用するためのユーザインタフェースと、地理的画像と、マッピングアプリケーションとを含み、ユーザインタフェースは、第１のユーザが、１人または複数人の第２のユーザが発見するため地理的画像に対して第１のユーザの個人連絡先情報及び第１の日付または日付範囲をアンカリングすることを可能にし、ユーザインタフェースは、１人または複数人の第２のユーザが、探索フィールド内に、関心のある第２の日付または日付範囲を入力して、マッピングアプリケーションを使用して地理的画像を探索して、第２の日付または日付範囲が第１の日付または日付範囲に一致するとき、第１のユーザに関するアンカリング済み個人連絡先情報を発見することを可能にする。
【００１３】
別の態様において、本発明は、ユーザによる関心のある人の発見を可能にするコンピュータ実装式システムを提供し、システムは、ユーザインタフェースと、座標系と、情報の１つまたは複数のオーシャンと、マッピングアプリケーションとを含み、ユーザインタフェースは、発見可能であることを選択する第１のユーザが、１つまたは複数のオーシャンに対して第１のユーザの個人連絡先情報及び第１の日付または日付範囲をアンカリングすることを可能にし、ユーザインタフェースは、１人または複数人の第２のユーザが、関心のある第２の日付または日付範囲を入力し、マッピングアプリケーションを使用して、座標系に関連する情報の１つまたは複数のオーシャンをトローリングし、それにより、第２の日付または日付範囲が第１の日付または日付範囲に一致するとき、１つまたは複数のオーシャンにアンカリングされた第１のユーザに関する個人連絡先情報を発見することを可能にする。
【００１４】
別の態様において、本発明は、ユーザによる関心のある人に関連する対象物のためのコンピュータ実装式システムを提供し、システムは、第１のユーザインタフェースと、１つまたは複数の対象物に関連する画像と、マッピングアプリケーションとを含み、第１のユーザインタフェースは、発見可能であることを選択する第１のユーザが、画像に対して情報をアンカリングすることを可能にし、第２のユーザインタフェースは、第２のユーザが、マッピングアプリケーションの使用によって画像を探索して、画像にアンカリングされた第１のユーザに関する情報を発見することを可能にする。
【００１５】
第１及び第２のユーザが、情報をアンカリングし、その後、その情報を探索する別個のタスク用の異なるユーザインタフェースを備えてもよいが、複数の実施形態において、第１及び第２のユーザインタフェースが、第１のユーザと第２のユーザの両方によって、両方のそれぞれのタスクに関して操作可能な単一ユーザインタフェースとして実装されることを熟練した読者は認識するであろう。
【００１６】
単独でのまたはテキストベース基準と組合せての視覚画像の使用は、関心のある人々または対象物を探索する効率を実質的に改善することになり、幾つかの事例では、探索を行うときに関心のある人または対象物に関する入手可能な情報が不十分であるため普通なら位置特定できない人または対象物を、探索が成功裡に位置特定することを可能にすることになることが同様に認識されるであろう。
【００１７】
報告される探索結果に関する限定基準の基礎を形成する画像を用いて探索を行うことは、探索結果に同じ限定をもたらすことを普通なら要求されるテキスト用語の知識がない状態で、ユーザが探索を開始することを可能にする。
【００１８】
好ましくは、第１のユーザインタフェースは、第１のユーザが、画像に対する第１のユーザ情報のアンカリングに関する更なる情報を記録することを可能にする。更なる情報は、日付、地理的ロケーション、文献情報、または、第１のユーザに関する識別情報をアンカリングするため、第１のユーザによって選択される画像のロケーションに関する任意の他の情報を含んでもよい。
【００１９】
一実施形態において、第１のユーザは、仮想ブイの使用によってその情報を１つまたは複数のオーシャンにアンカリングする。
【００２０】
一実施形態において、各仮想ブイは、トローリングプロセス中にフィルタまたは探索基準が第２のユーザによって適用されるまたは入力されることを可能にする１つまたは複数の属性を有する。こうした属性は、関心のある日付、地理的ロケーション、事象、または場所を含んでもよいが、それに限定されない。したがって、第２のユーザが情報を求めてトローリングしているとき、第２のユーザは、トローリングする特定のオーシャンを選択してもよく、また、種々の属性に適用される１つまたは複数の探索基準を入力してもよい。
【００２１】
一実施形態において、情報の１つまたは複数のオーシャンは、第１のユーザによって目に見えるようにされてもよい、または、第１のユーザによって、システムにアクセスする１人または複数人の第２のユーザから隠蔽されてもよい。
【００２２】
一実施形態において、マッピングアプリケーションは、ユーザが、情報の１つまたは複数のオーシャンをトローリングすることを可能にし、ユーザは、電子入力デバイス及びカーソルを使用して、規定済み地理的エリアにわたって仮想ネットをキャストまたはドラッグし、それにより、探索結果を選択済みエリアだけに制限することができる。
【００２３】
更なる態様において、本発明は、ユーザによる関心のある人に関連する対象物のためのコンピュータ実装式探索システムを提供し、システムは、第１のユーザインタフェースと、１つまたは複数の対象物の画像と、マッピングアプリケーションとを含み、第１のユーザインタフェースは、第１のユーザの対象物が発見可能であることを選択する第１のユーザが、画像内の対象物に対して情報をアンカリングすることを可能にし、第２のユーザインタフェースは、第２のユーザが、マッピングアプリケーションの使用によって画像を探索して、画像内の１つまたは複数の対象物にアンカリングされた第１のユーザに関する情報を発見することを可能にする。
【００２４】
一実施形態において、対象物が発見されることを所望する第１のユーザは、仮想ブイの使用によって、画像内の対象物に対して第１のユーザの情報をアンカリングしてもよい。
【００２５】
一実施形態において、各仮想ブイは、探索プロセス中にフィルタまたは探索基準が第２のユーザによって適用されるまたは入力されることを可能にする１つまたは複数の属性を有する。こうした属性は、日付、地理的ロケーション、及び対象物のロケーションまでの移動距離を含んでもよいが、それに限定されない。したがって、第２のユーザが情報を探索しているとき、第２のユーザは、探索する特定の画像を選択し、種々の属性に適用される１つまたは複数の探索基準を入力してもよい。
【００２６】
一実施形態において、マッピングアプリケーションは、第２のユーザが、電子入力デバイスを使用して、画像上の特定のロケーションにわたってカーソルを位置決めし、第１のユーザによってその特定のロケーションにアンカリングされた情報を閲覧することを可能にする。
【００２７】
一実施形態において、マッピングアプリケーションは、ユーザが、「トローリングすること（ｔｒａｗｌｉｎｇ）」によって探索することを可能にし、ユーザは、その電子入力デバイス及びカーソルを使用して、画像のエリアにわたって仮想ネットをキャストし、それにより、探索結果を選択済みエリアだけに制限することができる。
【００２８】
本発明の態様によるシステムは、公的にアクセス可能なシステムであってもよい。代替的に、本発明のシステムは、システムにアクセスしそれを使用するために、第１及び／または第２のユーザの認証を必要とするプライベートシステムであってもよい。
【００２９】
システムは、ユーザが、インターネット等のデータ通信ネットワークを介してそれにアクセスしてもよいコンピュータ実装式システムであってもよい、または、システムは、特定のデバイスに関連するアプリケーションであってもよい。
【００３０】
システムは、システムの機能的フィーチャまたは要素の全てを提供する別個のまたは独立型のアプリケーションであってもよい、あるいは代替的に、システムは、１つまたは複数の外部（第３者）システムであってもよいまたはそれ自身更なる機能を外部（第３者）アプリケーションに提供してもよい。本発明のシステムにおいて使用するのに特に適しているとして想定される典型的な第３者アプリケーションは、ＧｏｏｇｌｅまたはＢｉｎｇマップ等のマッピングアプリケーション、及び、ＦａｃｅｂｏｏｋまたはＬｉｎｋｅｄｉｎ等のソーシャル／プロフェッショナルネットワーキングサイトである。
【００３１】
任意の実施形態による本発明のシステムは、単一アプリケーションであってもよい、または代替的に、別個のアプリケーションが別個のコンピュータプロセッサ上で実行されて、１つまたは複数のフィーチャを別々に実装する分散アプリケーションであってもよい。
【００３２】
ユーザインタフェースは、限定はしないが、パーソナルコンピュータ、ラップトップ、モバイルフォン、またはｉＰａｄ（商標登録）を含む幾つかの電子デバイス、及び、ユーザが本発明のシステムと相互作用し、それを使用することを可能にする電子デバイス上で動作する任意の従来のインタフェースシステムであってもよい。ユーザインタフェースは、同様に、システムにアクセスするためユーザが、例えば一意のユーザ名及びパスワードを入力することを要求することによって、ユーザの詳細の認証を可能にしてもよい。
【００３３】
認証は、ユーザが、情報を更新しようと努める、情報を隠蔽しようと努める、１人または複数人のユーザにとって情報を目に見えるようにしようと努める、及び／または、座標系に対して情報をアンカリングしようと努める状況で要求されてもよい。代替的に、認証は、制限されたアクセスを有する情報のプライベート「オーシャン（ｏｃｅａｎ）」にユーザがアクセスしようと努めるときに要求されてもよい。もちろん、認証は、特に、目に見えかつ公的にアクセス可能である情報のオーシャンをユーザが探索（または、「トリーリング」）しようと努める状況で、常に要求されない場合がある。
アンカリング及びトローリングによる発見
【００３４】
情報は、第１のユーザが、自分自身または自分の所有物内の対象物を、第１のユーザに関連する離散的な情報レコードである１つまたは複数の仮想ブイによって「発見可能（ｄｉｓｃｏｖｅｒａｂｌｅ）」にしようと努めることによってアンカリングされてもよい。各ブイは、座標系上に情報のアンカリング位置を含み、情報のために空間コンテキストを提供し、データレコードをロケーションに関連付けてもよい。例えば、或る時点で特定の大学に通う人は、その大学の地理的ロケーションに対して自分の情報をアンカリングし、それにより、自分自身を、システムの他のユーザに対して「発見可能」にしてもよい。
【００３５】
第１のユーザが、自分自身または自分の所有物内の対象物を、発見されるために利用可能にすることによってアンカリングされた情報は、自分の名前等の詳細、電話番号、モバイルフォン番号、または現在のアドレス等の自分の連絡先詳細を含んでもよい。連絡先詳細は、同様に、電子メールアドレスまたはＳｋｙｐｅアドレスであってもよく、あるいは、ＦａｃｅｂｏｏｋまたはＬｉｎｋｅｄｉｎ等のソーシャルまたはプロフェッショナルネットワーキングサイト上の第１のユーザのプロファイルに対するリンク（例えば、ＵＲＬ、パス、またはポインタ）であってもよい。最終的に、連絡先詳細またはリンクは、２つのパーティ（すなわち、第１及び第２のユーザ）の間の連絡を促進するのに十分な情報を提供する。
【００３６】
一実施形態において、ＦａｃｅｂｏｏｋまたはＬｉｎｋｅｄｉｎ等の第３者ソーシャルネットワーキングウェブサイトに関連するセキュリティフィーチャは、要求される任意のレベルのセキュリティ及びプライバシーをユーザに提供することになる。
【００３７】
更に、各仮想ブイ（または情報レコード）は、トローリング（または探索）プロセスを補助する、限定はしないが名前及び日付等の１つまたは複数の属性を含んでもよい。ユーザがトロール操作（または探索）に集中し、それにより、トロール操作（または探索）の結果として発見される情報量を制限できるため、１つまたは複数の属性が、探索をより容易にするはずであることが認識されるであろう。
【００３８】
一実施形態において、各仮想情報ブイに関連する属性は、仮想ブイがそこにアンカリングされたオーシャンによって決定される。例えば、人々に関する情報を含むオーシャンは、関心のある場所に関する情報を含むオーシャンと比較して、異なる属性を有するであろう。名前及び日付に加えて、関心のある人に関連する情報を求めてトローリングするのを補助する他の考えられる属性は、キーワード、地理的ロケーション、または事象に関する詳細を含んでもよい。
【００３９】
典型的に、１つまたは複数の仮想情報ブイは、情報の規定済みオーシャンにアンカリングされることになり、そこで、各仮想ブイは、関心のある人のレコードにリンクされ、したがって、情報を求めてトローリング（または探索）する人にとって「発見可能」である。
【００４０】
望ましくは、本発明のシステムは、コンピュータ技量が制限された人が使用することができ、それにより、第２のユーザは、情報を求めて容易に「トローリング」できる、または、第１のユーザは、座標系上の任意の地点で情報の「アンカー（ａｎｃｈｏｒ）」を単に落とすことができる。
地理的座標系及びマッピングアプリケーション
【００４１】
一実施形態において、座標系は、地理的座標系であり、「仮想ブイ」が、その上の１つまたは複数の規定済みオーシャン内にアンカリングされてもよい基準を提供する。地理的座標系は、アプリケーションに応じて、１つ、２つ、または複数の次元を有してもよい。考えられる地理的座標系の典型的な例は、地球の表面上の地点の位置を指定するために使用されるグローバル球（緯度／経度）座標系である。他の地理的座標系は、マップ投影モデルを含み、マップ投影モデルは、地球の球表面のマップを、２次元デカルト（Ｘ／Ｙ）座標平面上に投影するために使用される。
【００４２】
マッピングアプリケーションは、画像、あるいは、地理的座標系であって、地理的座標系に関連する画像、地理的マップ、または他のビジュアルまたはオーディオコンテンツをオーバレイしてもよい、地理的座標系に関連付けられ、それにより、第２のユーザがトローリングする地理的座標系をナビゲートすることを、または、第１のユーザが情報の１つまたは複数のオーシャンに関して情報をアンカリングすることを可能にしてもよい。
【００４３】
情報は、限定はしないが、Ｇｏｏｇｌｅマップ、Ａｐｐｌｅマップ、またはＢｉｎｇマップ等のマッピングアプリケーションを使用して、地理的座標系に関連する１つまたは複数のオーシャン上に第１のユーザによってアンカリングされてもよい。
【００４４】
マッピングアプリケーションは、同様に、第２のユーザが、トローリングし（または、第２のユーザの電子入力デバイス及びカーソルを移動させ、それにより、規定済みの地理的エリアにわたって仮想ネットをドラッグすることによって探索し）、地理的座標系上の関心のある地点であって、その地点で情報が第１のユーザによってアンカリングされた、関心のある地点を位置特定することを可能にする機能を提供してもよい。その最も幅広い形態において、マッピングアプリケーションは、同様に、メディアプレーヤ、画像ビュアー、及びテレビジョン等のアプリケーション及びデバイスを含んでもよい。
情報の１つまたは複数のオーシャン
【００４５】
本明細書の文脈における用語「オーシャン（ｏｃｅａｎ）」は、任意の所望のカテゴリにするデータの論理的または物理的分離を意味する。一例として、こうしたカテゴリは、或る個人または異なるグループに関する情報、または、特定の日付範囲に関連する或る事象に関する情報を含んでもよいが、それに限定されない。もちろん、オーシャンの数及びその目的は、第１及び第２のユーザがそれを通して互いに接触しようと努める情報の性質に依存することになる。
【００４６】
１つまたは複数のオーシャンにするデータの物理的分離がデータの論理的分離を維持するのを補助し、それによって、単一システムが種々の目的で使用されることを可能にし、また同様に、１つのシステムが異なるユーザグループの要求に応じることを可能にし、また同様に、データの過密化を回避するのを補助することが認識されるであろう。
【００４７】
情報の「オーシャン」は、公的にアクセス可能であってもよく、または、プライベートであり、したがって、情報のその特定のオーシャンに対して許可されたアクセスを提供したユーザの選択グループだけにとってアクセス可能であってもよい。この点に関して、種々のグループが、ユーザの選択グループに情報を提供することができてもよい、または、単一ユーザが、ユーザの選択グループだけに対して自分自身を発見可能にすることができてもよい。これは、好ましくは、自分の情報をアンカリングする第１のユーザが、１つまたは複数のオーシャンを完全にまたは部分的に「ターンオンする（ｔｕｒｎ  ｏｎ）」（目に見えるようにする）または「ターンオフする（ｔｕｒｎ  ｏｆｆ）」（隠蔽する）ことを可能にすることによって達成される。例えば、第１のユーザは、自分の連絡先詳細を、人々の選択グループだけに対して目に見えるようにすることを好む場合があるため、オーシャンを、第２のユーザの選択グループに対して部分的に目に見えるようにする場合がある。
【００４８】
本発明の実施形態が、第２のユーザが必要に応じて「ターンオンする」または「ターンオフする」ことができてもよい１つまたは複数のオーシャンを使用して、異なる層の情報にアクセスし、それを閲覧してもよいことが認識されるであろう。
画像の表現及びマッピングアプリケーションの表示
【００４９】
一実施形態において、画像は、自動車、調度品、家、またはコンピュータ等の対象物を含むが、それに限定されない。
【００５０】
画像は、任意のタイプの画像であってもよく、グラフィカル画像、ワイヤフレーム画像、３Ｄ仮想モデル、または写真を含むが、それに限定されない。
【００５１】
一実施形態において、画像は、座標系に重ね合わされ、それが、画像に関連するマッピングアプリケーションの使用によって、画像内に位置する対象物または対象物の一部をユーザが識別及び／または選択することを可能にする。一実施形態において、座標系は、格子座標系であり、「仮想ブイ」が、その上で画像内にアンカリングされてもよい基準を提供する。格子座標系は、アプリケーションに応じて１つ、２つ、または複数の次元を有してもよい。
本発明の方法
【００５２】
別の態様において、本発明は、１人または複数人の第２のユーザによる第１のユーザに関する情報の発見を可能にするコンピュータ実装式方法を提供し、方法は、第１のユーザが、ユーザインタフェースを通して、コンピュータ実装式システムであって、地理的画像及びマッピングアプリケーションを含む、コンピュータ実装式システムにアクセスすること、第１のユーザが、画像に関連するマッピングアプリケーションを使用して地理的画像をナビゲートすること、及び、第１のユーザが、１人または複数人の第２のユーザによる第１のユーザに関する個人連絡先情報の発見を可能にする画像に対して第１のユーザの個人連絡先情報及び第１の日付及び日付範囲をアンカリングすることを含む。
【００５３】
別の態様において、本発明は、１人または複数人の第２のユーザによる第１のユーザの個人連絡先情報の発見を可能にするコンピュータ実装式方法を提供し、方法は、第１のユーザが、ユーザインタフェースを通して、コンピュータ実装式システムであって、座標系、情報の１つまたは複数のオーシャン、及びマッピングアプリケーションを含む、コンピュータ実装式システムにアクセスするステップと、第１のユーザが、座標系に関連するマッピングアプリケーショを使用して座標系をナビゲートするステップと、第１のユーザが、座標系に関連するマッピングアプリケーションを使用して情報の１つまたは複数のオーシャンに対して、第１のユーザの個人連絡先情報及び第１の日付及び日付範囲をアンカリングするステップとを含み、アンカリング済みの個人連絡先情報及び第１の日付及び日付範囲は、１人または複数人の第２のユーザによる第１のユーザの発見を可能にする。
【００５４】
別の態様において、本発明は、第１のユーザに関連する対象物を発見するコンピュータ実装式方法を提供し、方法は、第１のユーザが、ユーザインタフェースを通して、コンピュータ実装式システムであって、情報の１つまたは複数の対象物に関連する画像及びマッピングアプリケーションを含む、コンピュータ実装式システムにアクセスするステップと、第１のユーザは、マッピングアプリケーションを使用して画像をナビゲートするステップと、第１のユーザは、マッピングアプリケーションを使用して、画像に対して、情報であって、１人または複数人の第２のユーザによる第１のユーザに関連する対象物の発見を可能にする、情報をアンカリングするステップとを含む。
【００５５】
別の態様において、本発明は、１人または複数人の第２のユーザが第１のユーザに関する個人連絡先情報を発見することを可能にするコンピュータ実装式方法を提供し、方法は、１人または複数人の第２のユーザが、ユーザインタフェースを通して、コンピュータ実装式システムであって、地理的画像及びマッピングアプリケーションを含む、コンピュータ実装式システムにアクセスすること、及び、１人または複数人の第２のユーザが、探索フィールド内に関心のある日付または日付範囲を入力し、マッピングアプリケーションを使用して第１のユーザに関する個人連絡先情報を探索して、地理的画像にアンカリングされた個人連絡先情報の１つまたは複数の仮想ブイを位置特定し閲覧することを含む。
【００５６】
別の態様において、本発明は、１人または複数人の第２のユーザが第１のユーザの個人連絡先情報を発見することを可能にする方法を提供し、方法は、１人または複数人の第２のユーザが、ユーザインタフェースを通して、コンピュータ実装式システムであって、座標系、情報の１つまたは複数のオーシャン、及びマッピングアプリケーションを含む、コンピュータ実装式システムにアクセスするステップと、１人または複数人の第２のユーザが、探索フィールド内に関心のある日付または日付範囲を入力し、座標系に関連するマッピングアプリケーションを使用して個人連絡先情報を探索して、１または複数のオーシャン内にアンカリングされた個人連絡先情報の１つまたは複数の仮想ブイを位置特定し閲覧するステップとを含む。
【００５７】
別の態様において、本発明は、１人または複数人の第２のユーザが第１のユーザに関連する１つまたは複数の対象物を発見することを可能にする方法を提供し、方法は、１人または複数人の第２のユーザが、ユーザインタフェースを通して、コンピュータ実装式システムであって、１つまたは複数の対象物に関連する画像及びマッピングアプリケーションを含む、コンピュータ実装式システムにアクセスすること、及び、１人または複数人の第２のユーザが、マッピングアプリケーションを使用して画像を探索して、画像にアンカリングされた情報の１つまたは複数の仮想ブイを位置特定し閲覧することを含む。
【００５８】
データの２つ以上のオーシャンが存在する実施形態において、第１のユーザは、同様に、１つまたは複数の仮想ブイをその中でナビゲートしアンカリングする関心のある１つまたは複数のオーシャンを選択してもよい。
【００５９】
一実施形態において、第１のユーザは、関心のある位置でアンカーを落とす機能を
呼出してもよい。これは、電子入力デバイスを用いてメニュー関数をクリックすること、タッピングすること、または呼出すことを含んでもよい。第１のユーザは、同様に、探索基準に従ってユーザが発見されることを可能にすることになる情報の仮想ブイに関連することになる属性でフィールドを満たしてもよい。或る実施形態において、コンピュータシステムが、属性、例えば、第１のユーザのログイン詳細に関連する第１のユーザの名前で、種々のフィールドを自動的に満たすことができてもよいことが認識されるであろう。
【００６０】
第１のユーザは、同様に、ＦａｃｅｂｏｏｋまたはＬｉｎｋｅｄｉｎ等のそのソーシャルまたはプロフェッショナルネットワーキングプロファイル等の第３者ウェブサイトにリンクまたは或るポインタを提供してもよい。
関心のある人を発見するためのユーザトローリング
【００６１】
データの２つ以上のオーシャンが存在する実施形態において、第２のユーザは、同様に、トロール操作（または探索）をその中で行う関心のある１つまたは複数のオーシャンを選択してもよい。
【００６２】
大量の情報が存在する状況において、第２のユーザは、同様に、自分の探索を限定する１つまたは複数の探索基準を、第１のユーザに関連する属性に入力して、トロール操作エリアを制限してもよい。例えば、第２のユーザは、キーワード、地理的ロケーション、及び／または日付範囲によってトロール操作エリアを制限してもよい。
【００６３】
トロール操作を終了するとすぐに、第２のユーザは、入力済みの探索基準に整合する１つまたは複数の結果（仮想ブイ）を提示されてもよい。この時点で、第２のユーザは、仮想ブイを検査し、名前及び電話番号等の属性が仮想ブイに関連する場合、連絡先情報を識別することができてもよい。代替的に、トロール操作基準に整合する仮想ブイがＦａｃｅｂｏｏｋ等のソーシャルウェブサイトに対するリンクを含む場合、第２のユーザは、そのリンクを選択して、または、その他の方法でそれを使用して、発見済みの第１のユーザのウェブサイトに転送される。
【００６４】
本発明の実施形態は、ここで、添付図を参照して更に詳細に述べられる。
【図面の簡単な説明】
【００６５】
【図１】システム構成要素を識別する本発明の一実施形態によるシステムの、また、ユーザが、関心のある人を発見するための情報をアンカリングするまたは情報を求めてトローリングすることを可能にするため、構成要素がどのように互いに関連するかの概念図である。
【図２】マッピングアプリケーションと地理的座標系との間の関連付けを詳述し、また同様に、本発明の一実施形態に従ってオーシャンに対してユーザの個人情報をアンカリングすることを示す概念図である。
【図３】情報ブイに関連する場合がある考えられる属性の表であって、考えられる各属性の例に加えて各属性の説明／目的を有する、表である。
【図４】２つのパーティ間の相互作用を促進するため、関心のある人に関連するより多くの情報を提供するように属性が情報ブイにどのようにリンクすることができるかの概念図である。
【図５】本発明の一実施形態によるユーザインタフェースの例を提供する図であり、特に、埋め込み式マッピングアプリケーション、種々のアンカリング済み情報、発見済みの関心のある人の連絡先詳細、及び、トロール操作を制限する及び／またはそれに集中するためユーザによって採用されたトロール操作フィルタを詳述する。
【図６】ユーザが自分自身を発見可能にすることを可能にする本発明の一実施形態に従って、システムがどのように使用されてもよいかのブロック図である。
【図７】ユーザが関心のある人を発見することを可能にする本発明の一実施形態に従って、システムがどのように使用されてもよいかのブロック図である。
【図８】本発明の一実施形態による、システムにアクセスしようと試みるとユーザが遭遇するユーザインタフェースの例を提供する図である。
【図９】本発明の一実施形態による、トロール操作の結果を示すユーザインタフェースの例を提供する図である。
【図１０】本発明の一実施形態による、自動車の画像に関して行われた探索の結果を示すユーザインタフェースの例を提供する図である。
【図１１】本発明の一実施形態による、自動車の画像の表示に関して行われた探索の結果を示すユーザインタフェースの例を提供する図であり、特に、発見済みの関心のある人の連絡先詳細を示す。
【発明を実施するための形態】
【００６６】
本発明の一実施形態によるシステムは図１に示され、システム構成要素及びそれらの相互関係が示される。この実施形態において、限定はしないが、パーソナルコンピュータ、ラップトップ、モバイルフォン、またはｉＰａｄ（商標登録）を含む任意のデバイスであってもよいコンピュータ実装式システム（１）は、ユーザインタフェース（３）を通してアクセスされ、地理的座標（格子／座標）系（７）に関連するマッピングアプリケーション（５）を含む。マッピングアプリケーション（５）、例えば、Ｇｏｏｇｌｅマップは、ユーザが、情報の１つまたは複数のオーシャン（９）をトローリングして、地理的座標系（７）をナビゲートし、関心のある人に関連しかつ１または複数のオーシャン（９）にアンカリングされた１または複数の情報ブイ（１１）を位置特定することを可能にする。図１は、同様に、１または複数のブイ（１１）が、限定はしないがＦａｃｅｂｏｏｋ及び／またはＬｉｎｋｅｄｉｎ等のプロフェッショナルまたはソーシャルネットワーキングサイトを含む任意の第３者ウェブサイトに対する１つまたは複数のリンク（１３）に関連付けられることを示す。
【００６７】
図１の例証は、同様に、ユーザが、自分自身をシステムにアクセスする他のユーザに対して発見可能にしようと努めるときの、ユーザによりシステム（１）上への情報のアンカリングを証明する内向き矢印（１５）を示す。図１は、同様に、システム（１）に対して自分自身を発見可能にした関心のある人をユーザが発見しようと努めるときの、ユーザによるトローリングを証明する外向き矢印（１７）を示す。
【００６８】
最初はいつでも、発見可能な個人情報を入力しようと努めるユーザは、最初にシステム（１）上に登録し、最低限、ユーザ名及びパスワードを提供することによってプロファイルを作成しなければならない。システム（１）に再入力するため、ユーザは、必ず認証プロセスを受け、自分のユーザ名及びパスワードを再入力し、それにより、ユーザの個人詳細及び／または発見可能な情報が、正しい認証詳細の入力後に更新／変更されることを可能にするだけであるセキュアなシステムを保証する。もちろん、ユーザが関心のある人に関する情報を探索しようと努めるだけである場合、プロファイルを作成することは必要でない場合があり、ユーザは、認証ステップなしで、システム（１）にアクセスしてもよい。
【００６９】
図１に示すシステム（１）は、コンピュータシステム、１つまたは複数のコンピュータアプリケーション、または、ユーザがシステム（１）にアクセスすることを可能にするユーザインタフェースを有する任意のデバイスであってもよい。システム（１）は、ユーザが、情報にアクセスし、情報をトローリングし、情報をアンカリングすることを可能にするのに必要な全ての機能を提供する独立型システムであってもよい。他の実施形態において、システム（１）は、ユーザが情報をトローリングしアンカリングすることを可能にするフィーチャ／アプリケーションの全てまたは少なくとも一部を提供するＧｏｏｇｌｅマップ等の別の第３者システム内に埋め込まれてもよい。代替的に、システム（１）は、既存の第３者アプリケーションに更なる機能を提供してもよく、それにより、その機能は、ユーザが情報をトローリングしアンカリングすることを可能にする。システム（１）は、インターネットを通して公的にアクセス可能であってもよい、または、システム（１）は、限定されたアクセスを有するプライベートプログラムであってもよい。
【００７０】
本発明のシステム及び方法が、インターネット等のデータ通信ネットワークまたは電話帳等の従来の探索ツールを使用して、過去の友人、知人、及び親戚を位置特定しようと試みるときに多くの人々が直面する困難さに対処することが認識されるであろう。現行の技法を使用して関心のある人を探索することは、しばしば退屈であり、またしばしば、結果を全くもたらさないかまたは大量の結果をもたらす可能性があり、大量の結果は、容量が大きいため有用でなくなる、または、関心のある人を位置特定するときの補助を提供する。
【００７１】
本発明の一実施形態によるシステム及び方法は、関心のある人が地理的に探索されることを可能にする。したがって、１人または複数人の関心のある人を位置特定しようと努めるいずれのユーザも、その地理的ロケーションに関連付けられると、人がその中にいたことがわかっている地理的エリアの画像をトローリング（または探索）してもよい。例えば、人は、特定のロケーションまたはそのロケーションの事象に関連付けられてもよい。探索（トロール操作）がうまくいく場合、ユーザは、好ましくは、発見される関心のある人のソーシャルまたはプロフェッショナルネットワーキングサイトに対するリンクに追従することができ、それが、ユーザと関心のある人との間の接触を促進することになる。
【００７２】
以下の説明は、本発明のシステム及び方法の特定の実施形態に関する。しかし、本発明が、述べるシステム及び方法の特定のフィーチャに限定されないことが当業者によって認識されるであろう。
【００７３】
図２に示す実施形態において、システムは、Ｇｏｏｇｌｅマップ等のマッピングアプリケーション（２０）を埋め込む独立型コンピュータシステムとして構築される。Ｇｏｏｇｌｅマップは、本発明のシステムの述べる実施形態において使用するのに特に適する。その理由は、本アプリケーションが種々のプラットフォーム上で働き、広範なアプリケーションプログラミングインタフェース（ＡＰＩ：ａｐｐｌｉｃａｔｉｏｎ  ｐｒｏｇｒａｍｍｉｎｇ  ｉｎｔｅｒｆａｃｅ）を有することが認識されることになるからである。Ｇｏｏｇｌｅマップが他のアプリケーションに埋め込まれることを可能にし、また同様に、他のフィーチャ／アプリケーションがマップ上に重ね合わされることを可能にするのはＡＰＩである。Ｇｏｏｇｌｅマップは好ましいマッピングアプリケーションであるが、ＡｐｐｌｅまたはＢｉｎｇマップ等の他のマッピングアプリケーションが、本発明のシステム及び方法と共に使用されてもよい。
【００７４】
マッピングアプリケーション（２０）は、１つまたは複数の情報ブイ（２４）が、情報（２８）の１つまたは複数のオーシャン（２６）にアンカリングされることができる地理的座標系（２２）上の地点をユーザが位置特定することを可能にする機能を提供する。更に、マッピングアプリケーション（２０）は、同様に、ユーザが、他のユーザによってアンカリングされた任意の情報を求めてその上でトローリング（または探索）することを意図されるエリアを位置特定することを可能にする。他の実施形態において、ユーザは、マッピングアプリケーション（２０）を使用して、別のユーザによって販売のために提供される場合がある予備部品を探索して、自動車の対象物、例えば、特定のメイク（ブランド）及びモデルの画像を探索することができる。
【００７５】
図２に示す実施形態において、地理的座標系（２２）は地球の表面上の地点の位置を指定するために使用されるグローバル球（緯度／経度）座標系を使用する。他の地理的座標系が、マップ投影モデルを含み、マップ投影モデルが、地球の球表面のマップを、２次元デカルト（Ｘ／Ｙ）座標平面上に投影するために通常使用されることが認識されるであろう。本発明のシステム内で使用されてもよい他の座標系は、アプリケーションに応じて、１つ、２つ、または複数の次元を有してもよい。
【００７６】
図２に示すシステムは、公的にアクセス可能である「所定のロケーションの人々（ｐｅｏｐｌｅ  ａｔ  ｌｏｃａｔｉｏｎ）」の１つのオーシャン（２６）だけを含む。オーシャン（２６）が、地理的座標系（２２）に重なり合うアンカリング済み情報を含むデータの層を形成することが認識されるであろう。幾つかの実施形態において、汎用リレーショナルデータベースを採用することが可能である場合があるが、好ましい実施形態において、情報のオーシャンをその中に記憶する空間データベースが採用される。
【００７７】
図２を更に参照すると、情報ブイ（２４）は、実際の関心のある人及びその人が特定のロケーションと持つ関係を表す。特定のブイに関連する情報の例は、図３に示され、「所定のロケーションの人々」のオーシャン（２６）内の各情報ブイまたはレコードは、図３に示すような属性を有する。一実施形態において、アンカリング済みブイは、空間データベース内の行またはレコードとして実装される。
【００７８】
図２に示す実施形態において、情報（２８）に、図４に示すリンク（３０）が関連付けられる。リンク（３０）は、ソーシャルメディアプロファイルに対するＵＲＬハイパーリンクとして実装され、また、情報ブイ（２４）内に捕捉され、図３の表に挙げられる属性の１つである。
ユーザ相互作用を伴う所定のロケーションの人々
【００７９】
以下のセクションは、「所定のロケーションの人々」の実施形態に従って本発明の一実施形態によるシステムとユーザがどのように相互作用してもよいかを述べる。
【００８０】
本発明のシステム及び方法の実施形態は、ユーザが、特別な技量なしで情報をアンカリングしトローリングすることを可能にする。これは、「アンカリング（ａｎｃｈｏｒｉｎｇ）」または「トローリング（ｔｒａｗｌｉｎｇ）」が同時に実施されることを可能にする単一ウェブページユーザインタフェースの使用によって達成されてもよい。本発明のシステム及び方法と共に使用されてもよいインタフェースの例は図５に示される。図５に示すインタフェースが、考えられる１つの構成だけを示し、特定の実施形態及びアプリケーションに適する他のインタフェース構成が可能であることが認識されるであろう。
【００８１】
好ましくは、ユーザインタフェースは、「アンカリング」及び「トローリング」である少なくとも２つのユーザ相互作用をサポートすることになる。他の実施形態において、ユーザインタフェースは、更なる機能の範囲をサポートしてもよく、更なる機能は、
・ユーザ選好／ユーザ詳細を設定すること
・ヘルプ及び情報を取得／提供すること
・ユーザ登録詳細を入力すること
・ログアウト／退出機能
・ユーザが、システムを更新し、アンカーを削除／除去することを可能にすること
・ユーザが、不適切／不正確と考えられるアンカーを報告することを可能にすること
・ユーザが新しいパスワードを取得／設定することを可能にすること
を含むが、それに限定されない。
【００８２】
システムは、同様に望ましくは、自動化プログラム（すなわち、非人間ユーザ）による情報の不要なアンカリング及びセービングを防止するＣＡＰＴＣＨＡ等の１つまたは複数のセキュリティフィーチャを有することになる。
ユーザが自分自身を発見可能にすることを所望するアンカリング情報  
【００８３】
ユーザが本発明の一実施形態に従ってシステム上で情報をアンカリングするときに含まれるステップが、図６のブロック図に示される。
【００８４】
第１のステップは、インターネットにわたって入手可能な、システムに関連するユーザインタフェースを通してシステムにアクセスすることを含む。ユーザは、ブラウザをローンチし、ＵＲＬを入力することによってシステムにアクセスすることができ、ＵＲＬ上で、ユーザは図８に示すログインページを提示される。
【００８５】
ユーザの認証が要求され、したがって、ユーザは、自分のユーザ名及びパスワードを入力するよう促される。正しいユーザ名及びパスワード詳細を提供するとすぐに、ユーザは、システムプロファイルに導かれ、システムプロファイルは、自分の名前等のユーザの個人詳細、及び、情報ブイを自動で満たすために使用され得る関連するソーシャルメディアプロファイルに対する任意のリンクを含む場合がある。
【００８６】
ユーザが自分のシステムプロファイルに導かれると、ユーザは、通常、その中で情報をアンカリングしようと努める情報のオーシャンを選択することになる。この実施形態において、唯一のオーシャンが「所定のロケーションの人々」のオーシャンであるため、ユーザは、オーシャン選択ステップを引受ける必要はない。
【００８７】
自分の個人情報をアンカリングするため、ユーザは、マップにわたって自分のマウスポインタをドラッグすることによってＧｏｏｇｌｅマップをナビゲートして、例えば、自分のプロファイルがそれにアンカリングされた過去の住所の関心のある位置（緯度／経度座標）を位置特定する。
【００８８】
ロケーションが識別されると、ユーザは、自分のマウスを所望のロケーション上でクリックすることによってアンカーを「落とし（ｄｒｏｐ）」、それにより、自分の個人情報を有する情報ブイを関心のあるロケーションでアンカリングしてもよい。好ましくは、情報ブイは、自分のソーシャルメディアプロファイルに対するＵＲＬリンクを含み、ブイは、アンカーをユーザが「落とす」とすぐに、自動で満たされる。ユーザがオーシャンにアンカリングされた情報ブイをセーブすると、情報ブイは、他のユーザによる発見のために利用可能になる。
【００８９】
ユーザは、更なるアンカーを「落とし」続けてもよい、または、関心のある人を発見するため情報を求めてトローリングすることを選択してもよい、または、システムを退出することを選択してもよい。
１人または複数人の関心のある人をユーザが発見することを所望する、情報を求めるトローリング
【００９０】
本発明の一実施形態によるシステム内でユーザが情報を求めてトローリングすることに含まれるステップは、図７のブロック図に示される。
【００９１】
第１のステップは、インターネットにわたって入手可能な、システムに関連するユーザインタフェースを通してシステムにアクセスすることを含む。ユーザは、ブラウザをローンチし、ＵＲＬを入力することによってシステムにアクセスすることができ、ＵＲＬ上で、ユーザは図８に示すログインページを提示される。
【００９２】
ユーザの認証が要求され場合、ユーザは、自分のユーザ名及びパスワードを入力するよう促されることになる。正しいユーザ名及びパスワード詳細を提供するとすぐに、ユーザは、システムプロファイルに導かれ、システムプロファイルは、自分の名前等のユーザの個人詳細、及び、情報ブイを自動で満たすために使用され得る関連するソーシャルメディアプロファイルに対する任意のリンクを含む場合がある。
【００９３】
ユーザが自分のシステムプロファイルに導かれると、ユーザは、通常、その中で情報を求めてトローリングしようと努める情報のオーシャンを選択する必要があることになる。この実施形態において、唯一のオーシャンが「所定のロケーションの人々」のオーシャンであるため、ユーザは、オーシャン選択ステップを引受ける必要はない。
【００９４】
返される探索結果を絞るまたは制限する手段として、ユーザは、ユーザインタフェース上に位置するトロール操作フィルタ内に特定のデータ範囲等の探索基準を入力することによって自分の探索を洗練してもよい。こうしたトロール操作フィルタの例は、図９に示すインタフェースに示される。
【００９５】
所望のオーシャンが選択され、探索基準がトロール操作フィルタに入力されると、ユーザは、Ｇｏｏｇｌｅマップをナビゲートし、自分のポインタをマップ上でドラッグすることによって関心のある人に関連する情報を求めてトローリングして、関心のある位置、例えば、関心のある人のわかっている過去の住所を位置特定する。ユーザがシステムをナビゲートするにつれて、探索クエリが、空間データベース上で実施されて、探索またはフィルタリング基準に適合するトロール操作エリア内で任意の結果／レコードを識別する。これらのレコード／結果は、その後、図９に示しようにマップ上に重ね合わされ、ユーザの目に見え、好ましくは関心のある人のソーシャルメディアプロファイルに接続されたリンクを通して、ユーザが、関心のある人に接触することを可能にする。
【００９６】
所与のエリア内に多数の表示する結果が存在する場合、要約マーカが、その特定のロケーションに示され（例えば、図９に示す要約マーカ（２３））、入力済みの探索またはフィルタ基準に整合するどれだけのレコードがそのロケーションに存在するかを示す。ユーザは、探索を洗練して、返される結果／レコードを更に制限する。
【００９７】
関心のある人が識別されると、ユーザは、更なる関心のある人を発見するため情報を求めてトローリングし続けてもよい、または、自分自身を発見可能にするため１つまたは複数のアンカーを「落とし」てもよい、または、システムを退出することを選択してもよい。
【００９８】
本発明のシステム及び方法は、同様に、ユーザによって使用されて、関心のある人に関連する対象物または対象物の部品、例えば、図１０の実施形態に示す自動車または自動車の任意の部品を識別してもよい。図１０から見られるように、幾つかのアンカーが画像上に重ね合わされ、購入のために入手可能である場合がある自動車のユーザ部品を示す。
【００９９】
各アンカーが、自動車のその特定の部品を所有する１人または複数人の関心のある人のブイに関連付けられることが認識されるであろう。例えば、また、図１１に示すように、関心のある人の連絡先詳細は、ユーザが、自動車のフロントヘッドライトに関連するアンカー上に自分のカーソルを位置決めすると現れる。したがって、その特定の自動車部品に関連付けられ、自分自身を発見可能にした関心のある人は、ユーザが、自動車のその特定の部品を、発見された関心のある人から購入することまたはその他の方法で採取することに興味がある場合、ユーザによって連絡されてもよい。
【０１００】
図１０及び１１は自動車の予備部品を所有する関心のある人を識別することを対象とするが、他の実施形態は、限定はしないが、オートバイ及びオートバイ部品及び付属品、調度品、衣料品及び付属品、またはコンピュータ部品及び付属品を含む対象物を所有する及び／またはそれを売ることに興味がある関心のある人を識別することを対象としてもよい。
【０１０１】
図１０及び１１に示す画像は、汎用自動車の２次元画像であるが、他の実施形態では、画像が３次元画像であってもよく、また、操作されることができてもよく、ユーザが、例えば、３次元で画像を回転させ、また同様に、所望に応じてズームイン及びズームアウトして、画像内に示される対象物の特定のセクションを明瞭に識別し、そこに焦点を当てることができることが認識されるであろう。
【０１０２】
本発明のシステム及び方法が、ユーザフレンドリであり、それにより、任意のユーザ、コンピュータ技量のレベルが低いユーザでも、本発明のシステム及び方法の使用によって自分自身を発見可能にすることを可能にすることが認識されるであろう。システム及び方法は、同様に、複数のユーザが、例えば、ネットワークまたはインターネットを通じてシステムにアクセスし使用することを可能にし、それにより、システムであって、使用するのが容易であるだけでなく、関心のある人または関心のある人に関連する対象物を識別するためシステムを使用しようと努める及び／または自分自身を発見可能にしようと努める任意の人によって幅広くアクセス可能である、システムを提供する。
【０１０３】
本発明のシステム及び方法が、種々の物品または部品の専門知識または詳細知識を持たない普通のユーザが物品の部品を閲覧し、より容易に位置特定することを可能にすることが同様に認識されるであろう。
【０１０４】
例えば、ユーザは、自分の冷蔵庫用のサーモスタットを位置特定したいと思う場合がある。ユーザは、サーモスタットの名前または部品番号を知らない場合があるが、自分の冷蔵庫のブランドを知っている可能性がある。したがって、本発明のシステム及び方法は、自分の冷蔵庫の画像、例えば、ユーザが操作（すなわち、回転及びズームイン）できる仮想３次元モデルを閲覧して、冷蔵庫の文脈で関心のあるサーモスタットを識別することを可能にする。適切なサーモスタットが識別されると、ユーザは、別のユーザであって、同じサーモスタット部品を所有し、自分の情報を３次元画像上でサーモスタット部品にアンカリングした、別のユーザの連絡先詳細を取得してもよい。
【０１０５】
特に、先の例において、サーモスタットを所有する普通の人も、新しいサーモスタットを必要とする普通の人も、部品番号または更に部品の名前を知る必要はない。したがって、サーモスタット部品は、冷蔵庫販売員または機械工等から更なるエキスパートまたは専門家の助言をユーザが求める必要なしで、容易に販売のために提供されてもよい及び／または調達されてもよい。
【０１０６】
本明細書及び次に続く特許請求の範囲全体を通して、文脈が別途要求しない限り、ワード「備える（ｃｏｍｐｒｉｓｅ）」ならびに「備える」及び「備えている（ｃｏｍｐｒｉｓｉｎｇ）」等の変形は、述べる整数またはステップあるいは整数またはステップの群の包含を示唆するが、任意の他の整数またはステップあるいは整数またはステップの群の排除を示唆しないと理解される。
【０１０７】
実施形態において詳述される本発明に対して多数の変形及び／または修正が、幅広く述べられる本発明の精神または範囲から逸脱することなく行われてもよいことが当業者によって認識されるであろう。したがって、本実施形態は、全ての態様において、例証的であり制限的でないと考えられる。
【手続補正２】
【補正対象書類名】特許請求の範囲
【補正対象項目名】全文
【補正方法】変更
【補正の内容】
【特許請求の範囲】
【請求項１】
第１のユーザに関する個人連絡先情報の発見を可能にするコンピュータ実装式システムであって、
第１及び第２のユーザが使用するためのユーザインタフェースと、
地理的画像と、
マッピングアプリケーションとを含み、
前記ユーザインタフェースは、第１のユーザが、１人または複数人の第２のユーザが発見するため前記地理的画像に対して前記第１のユーザの個人連絡先情報及び第１の日付または日付範囲をアンカリングすることを可能にし、
前記ユーザインタフェースは、前記１人または複数人の第２のユーザが、探索フィールド内に、関心のある第２の日付または日付範囲を入力して、前記マッピングアプリケーションを使用して前記地理的画像を探索し、それにより、前記第２の日付または日付範囲が前記第１の日付または日付範囲に一致するとき、前記第１のユーザに関するアンカリング済み個人連絡先情報を発見することを可能にする、コンピュータ実装式システム。
【請求項２】
前記第１のユーザは、仮想ブイの使用によって前記地理的画像に前記第１のユーザの個人連絡先情報をアンカリングする、請求項１に記載のコンピュータ実装式システム。
【請求項３】
前記仮想ブイは、１つまたは複数の属性に関連する、請求項１または請求項２に記載のコンピュータ実装式システム。
【請求項４】
前記属性は、関心のある地理的ロケーションのアドレス、事象、または場所のうちの任意の１つまたは複数から選択される、請求項１から３のいずれか１項に記載のコンピュータ実装式システム。
【請求項５】
前記地理的画像は、グラフィカル画像、ワイヤフレーム画像、３Ｄ仮想モデル、または写真のうちの任意の１つから選択される、請求項１から４のいずれか１項に記載のコンピュータ実装式システム。
【請求項６】
前記地理的画像は、座標系と重ね合わされる、請求項１から５のいずれか１項に記載のコンピュータ実装式システム。
【請求項７】
ユーザによる関心のある人の発見を可能にするコンピュータ実装式システムであって、
ユーザインタフェースと、
座標系と、
情報の１つまたは複数のオーシャンと、
マッピングアプリケーションとを含み、
前記ユーザインタフェースは、発見可能であることを選択する第１のユーザが、前記１つまたは複数のオーシャンに対して前記第１のユーザの個人連絡先情報及び第１の日付または日付範囲をアンカリングすることを可能にし、
前記ユーザインタフェースは、１人または複数人の第２のユーザが、関心のある第２の日付または日付範囲を入力し、前記マッピングアプリケーションを使用して、前記座標系に関連する情報の１つまたは複数のオーシャンをトローリングし、それにより、前記第２の日付または日付範囲が前記第１の日付または日付範囲に一致するとき、前記１つまたは複数のオーシャンにアンカリングされた前記第１のユーザに関する個人連絡先情報を発見することを可能にする、コンピュータ実装式システム。
【請求項８】
第１のユーザは、仮想ブイの使用によって、前記１つまたは複数のオーシャンに対して前記第１のユーザの個人連絡先情報をアンカリングする、請求項７に記載のコンピュータ実装式システム。
【請求項９】
各ブイは１つまたは複数の属性を有する、請求項７または請求項８に記載のコンピュータ実装式システム。
【請求項１０】
前記１つまたは複数の属性は、関心のある地理的ロケーションのアドレス、事象、または場所のうちの任意の１つまたは複数から選択される、請求項９に記載のコンピュータ実装式システム。
【請求項１１】
情報の前記１つまたは複数のオーシャンは、前記第１のユーザによって、選択的に前記１人または複数人の第２のユーザに可視にされるまたは前記１人または複数人の第２のユーザから隠蔽される、請求項７から１０のいずれか１項に記載のコンピュータ実装式システム。
【請求項１２】
前記マッピングアプリケーションは、情報の１つまたは複数のオーシャンを探索するため前記第２のユーザによって使用される、請求項７から１１のいずれか１項に記載のコンピュータ実装式システム。
【請求項１３】
前記第１のユーザ及び前記１人または複数人の第２のユーザは、カーソル及び電子入力デバイスの使用によって関心のある地理的エリアを選択して、関心のある前記地理的エリアにわたって仮想ネットをドラッグすることができる、請求項７から１２のいずれか１項に記載のコンピュータ実装式システム。
【請求項１４】
各仮想ブイに関連する前記属性は、前記ブイがそこにアンカリングされたオーシャンによって決定される、請求項９から１３のいずれか１項に記載のコンピュータ実装式システム。
【請求項１５】
１人または複数人の第２のユーザによる第１のユーザに関する情報の発見を可能にするコンピュータ実装式方法であって、
前記第１のユーザは、ユーザインタフェースを通して、コンピュータ実装式システムであって、地理的画像及びマッピングアプリケーションを含む、コンピュータ実装式システムにアクセスすること、
前記第１のユーザは、前記地理的画像に関連する前記マッピングアプリケーションを使用して前記地理的画像をナビゲートすること、及び、
前記第１のユーザは、前記１人または複数人の第２のユーザによる前記第１のユーザに関する個人連絡先情報の発見を可能にする前記画像に対して前記第１のユーザの個人連絡先情報及び第１の日付及び日付範囲をアンカリングすることを含む、コンピュータ実装式方法。
【請求項１６】
前記第１のユーザは、仮想ブイの使用によって、前記地理的画像に対して前記第１のユーザの個人連絡先情報及び日付及び日付範囲をアンカリングする、請求項１５に記載のコンピュータ実装式方法。
【請求項１７】
前記仮想ブイは、１つまたは複数の属性に関連する、請求項１５または請求項１６に記載のコンピュータ実装式方法。
【請求項１８】
前記属性は、地理的ロケーションのアドレス、事象、または場所のうちの任意の１つまたは複数から選択される、請求項１５から１７のいずれか１項に記載のコンピュータ実装式方法。
【請求項１９】
前記地理的画像は、グラフィカル画像、ワイヤフレーム画像、３Ｄ仮想モデル、または写真のうちの任意の１つから選択される、請求項１５から１８のいずれか１項に記載のコンピュータ実装式方法。
【請求項２０】
前記画像は、座標系と重ね合わされる、請求項１５から１９のいずれか１項に記載のコンピュータ実装式方法。
【請求項２１】
前記第１のユーザによって前記地理的画像内にアンカリングされた１つまたは複数の仮想ブイは、第３者ソーシャルまたは専門家ネットワーキングウェブサイトに対するリンクを含む、請求項１５から２０のいずれか１項に記載のコンピュータ実装式方法。
【請求項２２】
１人または複数人の第２のユーザによる第１のユーザの個人連絡先情報の発見を可能にするコンピュータ実装式方法であって、
前記第１のユーザは、ユーザインタフェースを通して、コンピュータ実装式システムであって、座標系、情報の１つまたは複数のオーシャン、及びマッピングアプリケーションを含む、コンピュータ実装式システムにアクセスするステップと、
前記第１のユーザは、前記座標系に関連する前記マッピングアプリケーションを使用して前記座標系をナビゲートするステップと、
前記第１のユーザは、前記座標系に関連する前記マッピングアプリケーションを使用して情報の１つまたは複数のオーシャンに対して、前記第１のユーザの個人連絡先情報及び第１の日付及び日付範囲をアンカリングするステップとを含み、前記アンカリング済みの個人連絡先情報及び第１の日付及び日付範囲は、前記１人または複数人の第２のユーザによる前記第１のユーザの発見を可能にする、コンピュータ実装式方法。
【請求項２３】
前記第１のユーザは、仮想ブイの使用によって、前記１つまたは複数のオーシャンに対して前記第１のユーザの個人連絡先情報をアンカリングする、請求項２２に記載のコンピュータ実装式方法。
【請求項２４】
各ブイは１つまたは複数の属性を有する、請求項２２または請求項２３に記載のコンピュータ実装式方法。
【請求項２５】
前記１つまたは複数の属性は、地理的ロケーションのアドレス、事象、または場所のうちの任意の１つまたは複数から選択される、請求項２４に記載のコンピュータ実装式方法。
【請求項２６】
情報の前記１つまたは複数のオーシャンは、前記第１のユーザによって、選択的に前記１人または複数人の第２のユーザに可視にされるまたは前記１人または複数人の第２のユーザから隠蔽される、請求項２２から２５のいずれか１項に記載のコンピュータ実装式方法。
【請求項２７】
前記マッピングアプリケーションは、情報の１つまたは複数のオーシャンを探索するため前記１人または複数人の第２のユーザによって使用される、請求項２２から２６のいずれか１項に記載のコンピュータ実装式方法。
【請求項２８】
前記１人または複数人の第２のユーザは、探索フィールド内に、関心のある第２の日付または日付範囲を入力し、また、カーソル及び電子入力デバイスの使用によって探索エリアを選択して、規定済み地理的エリアにわたって仮想ネットをドラッグすることができる、請求項２２から２７のいずれか１項に記載のコンピュータ実装式方法。
【請求項２９】
各仮想ブイに関連する前記属性は、前記ブイがそこにアンカリングされたオーシャンによって決定される、請求項２２から２８のいずれか１項に記載のコンピュータ実装式方法。
【請求項３０】
前記第１のユーザによって情報の前記１つまたは複数のオーシャンにアンカリングされた前記１つまたは複数の仮想ブイは、第３者ソーシャルまたは専門家ネットワーキングウェブサイトに対するリンクを含む、請求項２２から２９のいずれか１項に記載のコンピュータ実装式システム。
【請求項３１】
１人または複数人の第２のユーザが第１のユーザに関する個人連絡先情報を発見することを可能にするコンピュータ実装式方法であって、
前記１人または複数人の第２のユーザは、ユーザインタフェースを通して、コンピュータ実装式システムであって、地理的画像及びマッピングアプリケーションを含む、コンピュータ実装式システムにアクセスすること、及び、
前記１人または複数人の第２のユーザは、探索フィールド内に関心のある日付または日付範囲を入力し、前記マッピングアプリケーションを使用して前記第１のユーザに関する個人連絡先情報を探索して、前記地理的画像にアンカリングされた個人連絡先情報の１つまたは複数の仮想ブイを位置特定し閲覧することを含む、コンピュータ実装式方法。
【請求項３２】
１人または複数人の第２のユーザが第１のユーザの個人連絡先情報を発見することを可能にするコンピュータ実装式方法であって、
前記１人または複数人の第２のユーザは、ユーザインタフェースを通して、コンピュータ実装式システムであって、座標系、情報の１つまたは複数のオーシャン、及びマッピングアプリケーションを含む、コンピュータ実装式システムにアクセスするステップと、
前記１人または複数人の第２のユーザは、探索フィールド内に関心のある日付または日付範囲を入力し、前記座標系に関連する前記マッピングアプリケーションを使用して個人連絡先情報を探索して、前記１または複数のオーシャン内にアンカリングされた個人連絡先情報の１つまたは複数の仮想ブイを位置特定し閲覧するステップとを含む、コンピュータ実装式方法。
【国際調査報告】
2018533132.tif 000014
2018533132.tif 000015
2018533132.tif 000016
2018533132.tif 000017
2018533132.tif 000018
2018533132.tif 000019
2018533132.tif 000020
2018533132.tif 000021